(57)【要約】  同じ送信間隔の中で共存している複数の異なるタイプのトラフィックのために割り当てられている複数のリソースを使用する無線通信のためのシステム及び方法である。1つの実施形態において、第2のタイプのトラフィックのためにあらかじめ予約されているリソースによって、第1のタイプのトラフィックの第1のデータをスケジューリングする。その第1のタイプのトラフィックが、第2のタイプのトラフィックのためにあらかじめ予約されているそれらのリソースによってスケジューリングされるか否かを示す制御シグナリングを使用してもよい。
2019534593.tif 000002
【特許請求の範囲】
【請求項１】
方法であって、
基地局(BS)によって、時間周波数リソース領域のうちの第1の領域において第1のタイプのトラフィックの第1のデータを送信するステップであって、前記時間周波数リソース領域は、第1の送信間隔を有し、前記時間周波数リソース領域は、第2のタイプのトラフィックの送信のための第2の領域を含む、ステップと、
前記第2の領域の第1の部分が前記第2のタイプのトラフィックを送信するのに使用されていないということに応答して、前記BSによって、前記第2の領域の前記第1の部分において前記第1のタイプのトラフィックの第2のデータを送信するステップと、を含む、
方法。
【請求項２】
前記第2の領域は、前記第2のタイプのトラフィックの送信のために予約される、請求項1に記載の方法。
【請求項３】
前記第2の領域は、非連続的な直交周波数分割多重化(OFDM)シンボルを含む、請求項1に記載の方法。
【請求項４】
前記第1の領域は、前記第2の領域とは異なる時間リソースを含む、請求項1に記載の方法。
【請求項５】
前記第1の領域は、前記第2の領域とは異なる周波数リソースを含む、請求項1に記載の方法。
【請求項６】
前記BSによって、前記第2の領域の第2の部分において前記第2のタイプのトラフィックの第3のデータを送信するステップをさらに含む、請求項1に記載の方法。
【請求項７】
前記第2のデータ及び前記第3のデータは、異なるOFDMシステムパラメータを使用して送信され、前記OFDMシステムパラメータの各々は、OFDMパラメータのセットを含む、請求項6に記載の方法。
【請求項８】
前記第2のデータは、前記第3のデータとは異なる時間リソースによって送信される、請求項6に記載の方法。
【請求項９】
前記第2のデータは、前記第3のデータとは異なる周波数リソースによって送信される、請求項6に記載の方法。
【請求項１０】
前記BSによって、前記第2の領域の前記第1の部分において前記第1のタイプのトラフィックの前記第2のデータを送信するステップは、
前記第2の領域の全体が前記第2のタイプのトラフィックを送信するのに使用されていないということに応答して、前記BSによって、前記第2の領域の前記全体によって前記第1のタイプのトラフィックの前記第2のデータを送信するステップを含む、請求項1に記載の方法。
【請求項１１】
前記第2の領域の前記第1の部分が前記第1のタイプのトラフィックを送信するのに使用されているか否かを示すシグナリングを前記BSによって送るステップをさらに含む、請求項1に記載の方法。
【請求項１２】
前記第1のタイプのトラフィックの前記第2のデータが、前記第2の領域の前記第1の部分において送信された後に、前記シグナリングは、前記第1の送信間隔の中で送信される、請求項11に記載の方法。
【請求項１３】
前記シグナリングは、前記第1の送信間隔の後に続く第2の送信間隔の中で送信され、前記シグナリングは、前記第2の送信間隔のダウンリンク制御チャネルによって搬送される、請求項11に記載の方法。
【請求項１４】
前記第2のデータは、前記第1のデータとは異なるOFDMパラメータのセットを使用して送信される、請求項1に記載の方法。
【請求項１５】
前記第2のタイプのトラフィックは、前記第1のタイプのトラフィックよりも低遅延であることを必要とする、請求項1に記載の方法。
【請求項１６】
前記第2のタイプのトラフィックは、制御シグナリングを含む、請求項1に記載の方法。
【請求項１７】
前記第2のタイプのトラフィックは、参照信号を含む、請求項1に記載の方法。
【請求項１８】
方法であって、
時間周波数リソース領域のうちの第1の領域の第1の部分が、第1のタイプのトラフィックの第1のデータを送信するのに使用されるという指標をユーザ機器(UE)によって受信するステップであって、前記時間周波数リソース領域は、第1の送信間隔を有し、前記第1の領域は、前記第1のタイプのトラフィックとは異なる第2のタイプのトラフィックの送信のために予約される、ステップと、
前記UEによって、前記指標にしたがって、前記第1の領域の前記第1の部分において前記第1のタイプのトラフィックの前記第1のデータを受信するステップと、を含む、
方法。
【請求項１９】
前記第1のタイプのトラフィックの前記第1のデータが、前記第1の領域の前記第1の部分において送信された後に、前記指標は、前記第1の送信間隔の中で前記UEに送信される、請求項18に記載の方法。
【請求項２０】
前記指標は、前記第1の送信間隔の後に続く第2の送信間隔の中で前記UEに送信され、前記指標は、前記第2の送信間隔のダウンリンク制御チャネルによって搬送される、請求項18に記載の方法。
【請求項２１】
前記第2のタイプのトラフィックは、前記第1のタイプのトラフィックよりも低遅延であることを必要とする、請求項18に記載の方法。
【請求項２２】
前記時間周波数リソース領域の第2の領域において前記第1のタイプのトラフィックの第2のデータを受信するステップをさらに含み、前記第2の領域は、前記第1のタイプのトラフィックの送信のために割り当てられている、請求項18に記載の方法。
【請求項２３】
前記第1の領域は、前記第2の領域とは異なる時間周波数リソースを含む、請求項22に記載の方法。
【請求項２４】
前記第1の領域の第2の部分において前記第2のタイプのトラフィックの第3のデータを受信するステップをさらに含む、請求項18に記載の方法。
【請求項２５】
前記第1のデータ及び前記第3のデータは、異なるOFDMシステムパラメータを使用して送信され、OFDMシステムパラメータは、OFDMパラメータのセットを含む、請求項24に記載の方法。
【請求項２６】
前記第1のデータは、前記第3のデータとは異なる時間周波数リソースによって送信される、請求項25に記載の方法。
【請求項２７】
デバイスであって、
複数の命令を含む非一時的なメモリ記憶装置と、
前記メモリ記憶装置と通信する1つ又は複数のプロセッサと、を含み、前記1つ又は複数のプロセッサは、前記複数の命令を実行して、
時間周波数リソース領域の第1の領域において第1のタイプのトラフィックの第1のデータを送信し、前記時間周波数リソース領域は、第1の送信間隔を有するとともに、第2のタイプのトラフィックの送信のために予約される第2の領域を含み、
前記第2の領域の第1の部分において前記第1のタイプのトラフィックの第2のデータを送信し、前記第2の領域の前記第1の部分は、前記第2のタイプのトラフィックを送信するために使用されない、
デバイス。
【請求項２８】
前記1つ又は複数のプロセッサは、前記複数の命令を実行して、さらに、
前記第2の領域の第2の部分において前記第2のタイプのトラフィックの第3のデータを送信する、請求項27に記載のデバイス。
【請求項２９】
前記第2のデータ及び前記第3のデータは、異なるOFDMシステムパラメータを使用して送信され、前記OFDMシステムパラメータの各々は、OFDMパラメータのセットを含む、請求項28に記載のデバイス。
【請求項３０】
前記1つ又は複数のプロセッサは、さらに、前記複数の命令を実行して、
前記第2の領域の前記第1の部分が前記第1のタイプのトラフィックを送信するのに使用されているか否かを示すシグナリングを送る、請求項28に記載のデバイス。
【請求項３１】
前記第1のタイプのトラフィックの前記第2のデータが、前記第2の領域の前記第1の部分において送信された後に、前記シグナリングは、前記第1の送信間隔の中で送られる、請求項30に記載のデバイス。
【請求項３２】
前記シグナリングは、前記第1の送信間隔の後に続く第2の送信間隔の中で送られ、前記シグナリングは、前記第2の送信間隔のダウンリンク制御チャネルによって搬送される、請求項30に記載のデバイス。
【請求項３３】
デバイスであって、
複数の命令を含む非一時的なメモリ記憶装置と、
前記メモリ記憶装置と通信する1つ又は複数のプロセッサと、を含み、前記1つ又は複数のプロセッサは、前記複数の命令を実行して、
時間周波数リソース領域のうちの第1の領域の第1の部分が、第1のタイプのトラフィックの第1のデータを送信するのに使用されるという指標を受信し、前記時間周波数リソース領域は、第1の送信間隔を有し、前記第1の領域は、前記第1のタイプのトラフィックとは異なる第2のタイプのトラフィックの送信のために予約され、
前記指標にしたがって、前記第1の領域の前記第1の部分において前記第1のタイプのトラフィックの前記第1のデータを受信する、
デバイス。
【請求項３４】
前記第1のタイプのトラフィックの前記第1のデータが、前記第1の領域の前記第1の部分において送信された後に、前記指標は、前記第1の送信間隔の中で当該デバイスに送信される、請求項33に記載のデバイス。
【請求項３５】
前記指標は、前記第1の送信間隔の後に続く第2の送信間隔の中で当該デバイスに送信され、前記指標は、前記第2の送信間隔のダウンリンク制御チャネルによって搬送される、請求項33に記載のデバイス。
【請求項３６】
前記第2のタイプのトラフィックは、前記第1のタイプのトラフィックよりも低遅延であることを必要とする、請求項33に記載のデバイス。
【請求項３７】
前記1つ又は複数のプロセッサは、さらに、前記複数の命令を実行して、前記時間周波数リソース領域の第2の領域において前記第1のタイプのトラフィックの第2のデータを受信し、前記第2の領域は、前記第1のタイプのトラフィックの送信のために割り当てられている、請求項33に記載のデバイス。
【請求項３８】
前記第1の領域は、前記第2の領域とは異なる時間周波数リソースを含む、請求項37に記載のデバイス。
【請求項３９】
前記1つ又は複数のプロセッサは、さらに、前記複数の命令を実行して、前記第1の領域の第2の部分において前記第2のタイプのトラフィックの第3のデータを受信する、請求項33に記載のデバイス。
【請求項４０】
前記第1のデータ及び前記第3のデータは、異なるOFDMシステムパラメータを使用して送信され、OFDMシステムパラメータは、OFDMパラメータのセットを含む、請求項39に記載のデバイス。
【請求項４１】
前記第1のデータは、前記第3のデータとは異なる時間周波数リソースによって送信される、請求項40に記載のデバイス。
【発明の詳細な説明】
【技術分野】
【０００１】
[関連出願への相互参照]
この特許出願は、2016年10月11日付で出願された"低遅延通信リソース及び遅延耐性通信リソースの共存のためのシステム及び方法"と題する米国仮出願番号62/406,823、2016年9月16日付で出願された"スロット又はシンボルの整列との複合的なシステムパラメータの共存のためのシステム及び方法"と題する米国仮出願番号62/395,914、2016年8月25日付で出願された"低遅延ダウンリンク通信及び遅延耐性ダウンリンク通信の共存"と題する米国仮出願番号62/379,559、及び2017年6月30日付で出願された"低遅延通信リソース及び遅延耐性通信リソースの共存のためのシステム及び方法"と題する米国非仮出願番号15/640,242に基づく優先権を主張し、それらの内容は、その全体が複製されるように、参照により本明細書に取り込まれる。
【０００２】
[技術分野]
本開示は、概して、無線通信に関し、複数の特定の実施形態においては、低遅延通信リソース及び遅延耐性通信リソースの共存のためのシステム及び方法に関する。
【背景技術】
【０００３】
現代の無線ネットワークは、(例えば、音声、動画、データ等の)複数の多様なトラフィックタイプの通信をサポートし、それらの多様なトラフィックタイプは、送信のための複数の異なる要件を有する。例えば、対話的な動画のためのトラフィックは、遅延及び損失率に関して、ストリーミング動画のためのトラフィックとは異なる要件を有する場合がある。他の例では、オンラインゲームのためのトラフィックは、インターネットのブラウジングのためのトラフィックとは異なるスループット要件及び遅延要件を有する場合がある。ある通信ネットワークにおける複数の異なるタイプのトラフィックの送信に対応するシステム及び方法を開発することは望ましいであろう。
【発明の概要】
【０００４】
技術的な優位性は、低遅延通信リソース及び遅延耐性通信リソースの共存のためのシステム及び方法を説明するこの開示の複数の実施形態によって、概ね達成される。
【０００５】
本開示のある1つの態様によれば、方法であって、基地局(BS)によって、時間周波数リソース領域のうちの第1の領域において第1のタイプのトラフィックの第1のデータを送信するステップであって、前記時間周波数リソース領域は、第1の送信間隔を有し、前記時間周波数リソース領域は、第2のタイプのトラフィックの送信のための第2の領域を含む、ステップと、前記第2の領域の第1の部分が前記第2のタイプのトラフィックを送信するのに使用されていないということに応答して、前記BSによって、前記第2の領域の前記第1の部分において前記第1のタイプのトラフィックの第2のデータを送信するステップと、を含む方法が提供される。
【０００６】
選択的に、上記の態様のうちのいずれかの態様の複数の実施形態において、前記第2の領域は、前記第2のタイプのトラフィックの送信のために予約される。
【０００７】
選択的に、上記の態様又は実施形態のうちのいずれかにおいて、前記第2の領域は、非連続的な直交周波数分割多重化(OFDM)シンボルを含む。
【０００８】
選択的に、上記の態様又は実施形態のうちのいずれかにおいて、前記第1の領域は、前記第2の領域とは異なる時間リソースを含む。
【０００９】
選択的に、上記の態様又は実施形態のうちのいずれかにおいて、前記第1の領域は、前記第2の領域とは異なる周波数リソースを含む。
【００１０】
選択的に、上記の態様又は実施形態のうちのいずれかにおいて、当該方法は、前記BSによって、前記第2の領域の第2の部分において前記第2のタイプのトラフィックの第3のデータを送信するステップをさらに含む。
【００１１】
選択的に、上記の態様又は実施形態のうちのいずれかにおいて、前記第2のデータ及び前記第3のデータは、異なるOFDMシステムパラメータ(OFDM  numerologies)を使用して送信され、前記OFDMシステムパラメータの各々は、OFDMパラメータのセットを含む。
【００１２】
選択的に、上記の態様又は実施形態のうちのいずれかにおいて、前記第2のデータは、前記第3のデータとは異なる時間リソースによって送信される。
【００１３】
選択的に、上記の態様又は実施形態のうちのいずれかにおいて、前記第2のデータは、前記第3のデータとは異なる周波数リソースによって送信される。
【００１４】
選択的に、上記の態様又は実施形態のうちのいずれかにおいて、前記BSによって、前記第2の領域の前記第1の部分において前記第1のタイプのトラフィックの前記第2のデータを送信するステップは、
前記第2の領域の全体が前記第2のタイプのトラフィックを送信するのに使用されていないということに応答して、前記BSによって、全体前記第2の領域において前記第1のタイプのトラフィックの前記第2のデータを送信するステップを含む。
【００１５】
選択的に、上記の態様又は実施形態のうちのいずれかにおいて、当該方法は、前記第2の領域の前記第1の部分が前記第1のタイプのトラフィックを送信するのに使用されているか否かを示すシグナリングを前記BSによって送るステップをさらに含む。
【００１６】
選択的に、上記の態様又は実施形態のうちのいずれかにおいて、前記第1のタイプのトラフィックの前記第2のデータが、前記第2の領域の前記第1の部分において送信された後に、前記シグナリングは、前記第1の送信間隔の中で送信される。
【００１７】
選択的に、上記の態様又は実施形態のうちのいずれかにおいて、前記シグナリングは、前記第1の送信間隔の後に続く第2の送信間隔の中で送信され、前記シグナリングは、前記第2の送信間隔のダウンリンク制御チャネルによって搬送される。
【００１８】
選択的に、上記の態様又は実施形態のうちのいずれかにおいて、前記第2のデータは、前記第1のデータとは異なるOFDMパラメータのセットを使用して送信される。
【００１９】
選択的に、上記の態様又は実施形態のうちのいずれかにおいて、前記第2のタイプのトラフィックは、前記第1のタイプのトラフィックよりも低遅延であることを必要とする。
【００２０】
選択的に、上記の態様又は実施形態のうちのいずれかにおいて、前記第2のタイプのトラフィックは、制御シグナリングを含む。
【００２１】
選択的に、上記の態様又は実施形態のうちのいずれかにおいて、前記第2のタイプのトラフィックは、参照信号を含む。
【００２２】
本開示の他の態様によれば、方法であって、時間周波数リソース領域のうちの第1の領域の第1の部分が、第1のタイプのトラフィックの第1のデータを送信するのに使用されるという指標をユーザ機器(UE)によって受信するステップであって、前記時間周波数リソース領域は、第1の送信間隔を有し、前記第1の領域は、前記第1のタイプのトラフィックとは異なる第2のタイプのトラフィックの送信のために予約される、ステップと、前記UEによって、前記指標にしたがって、前記第1の領域の前記第1の部分において前記第1のタイプのトラフィックの前記第1のデータを受信するステップと、を含む方法が提供される。
【００２３】
選択的に、上記の態様又は実施形態のうちのいずれかにおいて、前記第1のタイプのトラフィックの前記第1のデータが、前記第1の領域の前記第1の部分において送信された後に、前記指標は、前記第1の送信間隔の中で前記UEに送信される。
【００２４】
選択的に、上記の態様又は実施形態のうちのいずれかにおいて、前記指標は、前記第1の送信間隔の後に続く第2の送信間隔の中で前記UEに送信され、前記指標は、前記第2の送信間隔のダウンリンク制御チャネルによって搬送される。
【００２５】
選択的に、上記の態様又は実施形態のうちのいずれかにおいて、前記第2のタイプのトラフィックは、前記第1のタイプのトラフィックよりも低遅延であることを必要とする。
【００２６】
選択的に、上記の態様又は実施形態のうちのいずれかにおいて、当該方法は、前記時間周波数リソース領域の第2の領域において前記第1のタイプのトラフィックの第2のデータを受信するステップをさらに含み、前記第2の領域は、前記第1のタイプのトラフィックの送信のために割り当てられている。
【００２７】
選択的に、上記の態様又は実施形態のうちのいずれかにおいて、前記第1の領域は、前記第2の領域とは異なる時間周波数リソースを含む。
【００２８】
選択的に、上記の態様又は実施形態のうちのいずれかにおいて、当該方法は、前記第1の領域の第2の部分において前記第2のタイプのトラフィックの第3のデータを受信するステップをさらに含む。
【００２９】
選択的に、上記の態様又は実施形態のうちのいずれかにおいて、前記第1のデータ及び前記第3のデータは、異なるOFDMシステムパラメータを使用して送信され、OFDMシステムパラメータは、OFDMパラメータのセットを含む。
【００３０】
選択的に、上記の態様又は実施形態のうちのいずれかにおいて、前記第1のデータは、前記第3のデータとは異なる時間周波数リソースによって送信される。
【００３１】
本開示の他の態様によれば、デバイスであって、複数の命令を含む非一時的なメモリ記憶装置と、前記メモリ記憶装置と通信する1つ又は複数のプロセッサと、を含み、前記1つ又は複数のプロセッサは、前記複数の命令を実行して、時間周波数リソース領域の第1の領域において第1のタイプのトラフィックの第1のデータを送信し、前記時間周波数リソース領域は、第1の送信間隔を有するとともに、第2のタイプのトラフィックの送信のために予約される第2の領域を含み、前記第2の領域の第1の部分において前記第1のタイプのトラフィックの第2のデータを送信し、前記第2の領域の前記第1の部分は、前記第2のタイプのトラフィックを送信するために使用されない、デバイスが提供される。
【００３２】
選択的に、上記の態様又は実施形態のうちのいずれかにおいて、前記1つ又は複数のプロセッサは、前記複数の命令を実行して、さらに、前記第2の領域の第2の部分において前記第2のタイプのトラフィックの第3のデータを送信する。
【００３３】
選択的に、上記の態様又は実施形態のうちのいずれかにおいて、前記第2のデータ及び前記第3のデータは、異なるOFDMシステムパラメータを使用して送信され、前記OFDMシステムパラメータの各々は、OFDMパラメータのセットを含む。
【００３４】
選択的に、上記の態様又は実施形態のうちのいずれかにおいて、前記1つ又は複数のプロセッサは、前記複数の命令を実行して、さらに、前記第2の領域の前記第1の部分が前記第1のタイプのトラフィックを送信するのに使用されているか否かを示すシグナリングを送る。
【００３５】
選択的に、上記の態様又は実施形態のうちのいずれかにおいて、前記第1のタイプのトラフィックの前記第2のデータが、前記第2の領域の前記第1の部分において送信された後に、前記シグナリングは、前記第1の送信間隔の中で送られる。
【００３６】
選択的に、上記の態様又は実施形態のうちのいずれかにおいて、前記シグナリングは、前記第1の送信間隔の後に続く第2の送信間隔の中で送られ、前記シグナリングは、前記第2の送信間隔のダウンリンク制御チャネルによって搬送される。
【００３７】
本開示のさらに別の態様によれば、デバイスであって、複数の命令を含む非一時的なメモリ記憶装置と、前記メモリ記憶装置と通信する1つ又は複数のプロセッサと、を含み、前記1つ又は複数のプロセッサは、前記複数の命令を実行して、時間周波数リソース領域のうちの第1の領域の第1の部分が、第1のタイプのトラフィックの第1のデータを送信するのに使用されるという指標を受信し、前記時間周波数リソース領域は、第1の送信間隔を有し、前記第1の領域は、前記第1のタイプのトラフィックとは異なる第2のタイプのトラフィックの送信のために予約され、前記指標にしたがって、前記第1の領域の前記第1の部分において前記第1のタイプのトラフィックの前記第1のデータを受信する、デバイスが提供される。
【００３８】
選択的に、上記の態様又は実施形態のうちのいずれかにおいて、前記第1のタイプのトラフィックの前記第1のデータが、前記第1の領域の前記第1の部分において送信された後に、前記指標は、前記第1の送信間隔の中で当該デバイスに送信される。
【００３９】
選択的に、上記の態様又は実施形態のうちのいずれかにおいて、前記指標は、前記第1の送信間隔の後に続く第2の送信間隔の中で当該デバイスに送信され、前記指標は、前記第2の送信間隔のダウンリンク制御チャネルによって搬送される。
【００４０】
選択的に、上記の態様又は実施形態のうちのいずれかにおいて、前記第2のタイプのトラフィックは、前記第1のタイプのトラフィックよりも低遅延であることを必要とする。
【００４１】
選択的に、上記の態様又は実施形態のうちのいずれかにおいて、前記1つ又は複数のプロセッサは、さらに、前記複数の命令を実行して、前記時間周波数リソース領域の第2の領域において前記第1のタイプのトラフィックの第2のデータを受信し、前記第2の領域は、前記第1のタイプのトラフィックの送信のために割り当てられている。
【００４２】
選択的に、上記の態様又は実施形態のうちのいずれかにおいて、前記第1の領域は、前記第2の領域とは異なる時間周波数リソースを含む。
【００４３】
選択的に、上記の態様又は実施形態のうちのいずれかにおいて、前記1つ又は複数のプロセッサは、さらに、前記複数の命令を実行して、前記第1の領域の第2の部分において前記第2のタイプのトラフィックの第3のデータを受信する。
【００４４】
選択的に、上記の態様又は実施形態のうちのいずれかにおいて、前記第1のデータ及び前記第3のデータは、異なるOFDMシステムパラメータを使用して送信され、OFDMシステムパラメータは、OFDMパラメータのセットを含む。
【００４５】
選択的に、上記の態様又は実施形態のうちのいずれかにおいて、前記第1のデータは、前記第3のデータとは異なる時間周波数リソースによって送信される。
【００４６】
上記の態様のうちのいずれかの態様によれば、同じ時間周波数リソースの中で、複数の異なるサービスのための複数の異なるタイプのトラフィックをスケジューリングすることが可能であるとともに、それらの複数の異なるタイプのトラフィックを送信するために、同じ時間周波数リソースの中で共存している複数の異なるタイプのリソースを割り当てることが可能である。このようにして、サービスの多重化の効率が高められる。
【図面の簡単な説明】
【００４７】
本開示及び本開示の利点のより完全な理解のために、以下では、複数の添付の図面と併せて以下の説明を参照する。
【００４８】
【図１】無線通信ネットワークのある1つの実施形態の図を図示している。
【図２】送信間隔構造のある1つの実施形態の図を図示している。
【図３】送信間隔構造の他の実施形態の図を図示している。
【図４】送信間隔構造のさらに別の実施形態の図を図示している。
【図５】送信間隔構造のさらに別の実施形態の図を図示している。
【図６】送信間隔構造のさらに別の実施形態の図を図示している。
【図７】送信間隔構造のさらに別の実施形態の図を図示している。
【図８】送信間隔構造のさらに別の実施形態の図を図示している。
【図９】送信間隔構造のさらに別の実施形態の図を図示している。
【図１０】送信間隔構造のさらに別の実施形態の図を図示している。
【図１１】無線通信方法のある1つの実施形態のフローチャートを図示している。
【図１２】無線通信方法の他の実施形態のフローチャートを図示している。
【図１３】処理システムのある1つの実施形態のブロック図である。
【図１４】トランシーバーのある1つの実施形態のブロック図である。
【発明を実施するための形態】
【００４９】
本開示の複数の実施形態の作成及び使用を、以下で詳細に説明する。一方で、多種多様な具体的な状況において、本明細書において開示されている概念を具体化することが可能であり、そして、本明細書において議論されている複数の特定の実施形態は、例示にすぎず、請求項に記載された発明の範囲を限定するのに役立たないということを理解すべきである。さらに、添付の特許請求の範囲によって規定される本開示の趣旨及び範囲から離れることなく、本明細書において、様々な変更、置換、及び改変を行うことが可能であるということを理解すべきである。
【００５０】
同じ時間周波数リソースの中で、複数の異なるサービスのための複数の異なるタイプのトラフィックをスケジューリングすることが可能であるとともに、それらの複数の異なるタイプのトラフィックを送信するために、同じ時間周波数リソースの中で共存している複数の異なるタイプのリソースを割り当てることが可能である。このようにして、サービスの多重化の効率が高められる。
【００５１】
本開示の複数の態様は、複数の異なるタイプのトラフィックの送信のために割り当てられている複数のリソースが、ある送信間隔の中で共存している無線通信方法を提供する。それらの複数の異なるタイプのトラフィックは、例えば、動画トラフィック、音声トラフィック、及びデータトラフィックを含んでもよい。それらの複数の異なるタイプのトラフィックは、異なる遅延要件を有するといったように、異なるサービス品質要件を有するトラフィックであってもよい。それらの複数の異なるタイプのトラフィックは、また、(例えば、physical  downlink  control  channel  (PDCCH),  HARQ  Ack/Nack等の)制御情報、ペイロードデータ、又は(例えば、demodulation  reference  signals  (DMRS),  channel  state  information  reference  signals  (CSI-RS)等の)参照信号を搬送するトラフィックであってもよい。
【００５２】
複数の実施形態のうちのいくつかにおいては、第1のタイプのトラフィック及び第2のタイプのトラフィックに割り当てられているリソースは、ある送信間隔の中で共存している。その第1のタイプのトラフィックに割り当てられている第1のリソースが、第1のタイプのトラフィックを送信するようにスケジューリングされていない場合には、第2のタイプのトラフィックのデータを送信するのに、その第1のリソースを使用してもよい。その第1のリソースが第2のタイプのトラフィックを送信するようにスケジューリングされているということを示す指標を送ってもよく、それによって、受信機は、第1のタイプのトラフィックに割り当てられている第1のリソースによって、送信される第2のタイプのトラフィックのデータを受信することが可能である。
【００５３】
図1は、データを通信するためのネットワーク100の図である。そのネットワーク100は、カバレッジエリア101を有する基地局110、複数のモバイルデバイス120、及びバックホールネットワーク130を含む。図示されているように、基地局110は、それらの複数のモバイルデバイス120との間でアップリンク(破線)接続及び/又はダウンリンク(点線)接続を確立し、それらの複数のモバイルデバイス120は、それらの複数のモバイルデバイス120から基地局110へ、及び、基地局110からそれらの複数のモバイルデバイス120へ、データを搬送する働きをする。アップリンク/ダウンリンク接続を介して搬送されるデータは、複数のモバイルデバイス120の間で通信されるデータのみならず、バックホールネットワーク130によって(図示しない)リモートエンドとの間で通信されるデータを含んでもよい。あるモバイルデバイス120から基地局110への無線通信は、アップリンク通信と称されてもよい。基地局110から基地局110への無線通信は、ダウンリンク通信と称されてもよい。本明細書で使用される場合には、"基地局"の語は、ネットワークへの無線アクセスを提供するように構成される強化型基地局(eNB)、マクロセル、フェムトセル、Wi-Fiアクセスポイント(AP)、又はその他の無線対応デバイス等のいずれかの構成要素(又は構成要素の集合体)を指す。基地局は、例えば、ロングタームエボリューション(LTE)、LTEアドバンスト(LTE-A)、新たな無線(NR)、高速パケットアクセス(HSPA)、Wi-Fi  802.11a/b/g/n/ac等の1つ又は複数の無線通信プロトコルにしたがって無線アクセスを提供してもよい。本明細書で使用される場合には、"モバイルデバイス"の語は、基地局との間で無線接続を確立することが可能であるユーザ機器(UE)、移動局(STA)、及び他の無線対応デバイス等のいずれかの構成要素(又は構成要素の集合体)を指す。UEは、1つ又は複数の基地局との間で無線によって通信してもよい。複数の実施形態のうちのいくつかにおいては、ネットワーク100は、中継器、低電力ノード等の様々な他の無線デバイスを含んでもよい。直交周波数分割多重化(OFDM)シンボルを送信することによって、ネットワーク100の中の無線通信を実行してもよい。ネットワークは、また、CDMA、TDMA、FDMA、OFDMA、及びSC-FDMA等の他の適用可能な無線通信技術を使用してもよい。
【００５４】
ネットワーク100においてアップリンク通信及びダウンリンク通信を実行するのに複数のリソースが必要とされる。例えば、基地局は、ある特定の時間期間の間に、ある特定の周波数において、ダウンリンク通信によってUEにデータを無線で送信してもよい。その周波数及び時間期間は、複数のリソースの例である。基地局は、その基地局がサービスを提供するUEに、ダウンリンク通信のためのリソースを割り当てる。
【００５５】
ネットワーク100は、複数の異なるタイプのトラフィックの送信をサポートするように構成されてもよい。例えば、それらの複数の異なるタイプのトラフィックは、動画トラフィック、音声トラフィック、及びデータトラフィックを含んでもよい。それらの複数の異なるタイプのトラフィックは、異なる遅延要件、異なる誤り率要件、又は他のサービス品質要件等の複数の異なる通信要件を有してもよい。それらの複数の異なるタイプのトラフィックは、また、制御情報、ペイロードデータ、又は参照信号等の異なるタイプの情報を含んでもよい。
【００５６】
本明細書においては、"トラフィック"の語は、一般的に、"データ"の語と互換的に使用されるが、それらの語が使用される文脈から明らかであるように、場合によっては、互いに異なる範囲で、それらの語を使用してもよい。例えば、低遅延通信トラフィックは、比較的短い送信間隔を有するデータの表現であってもよく、遅延耐性通信トラフィックは、比較的長い送信間隔を有するデータの表現であってもよい。複数の実施形態のうちのいくつかにおいては、15[kHz]のサブキャリア間隔を有するデータは、比較的長い送信間隔を有するデータとして理解されてもよい一方で、30[kHz]/60[kHz]/120[kHz]のサブキャリア間隔を有するデータは、比較的短い送信間隔を有するデータとして理解されてもよい。他の実施形態においては、30[kHz]のサブキャリア間隔を有するデータは、比較的長い送信間隔を有するデータとして理解されてもよい一方で、60[kHz]/120[kHz]のサブキャリア間隔を有するデータは、比較的短い送信間隔を有するデータとして理解されてもよい。15[kHz]、30[kHz]、60[kHz]、及び120[kHz]が例示の目的で示されているが、これらには限定されないということが明確に意図されている。
【００５７】
図2は、送信間隔構造200のある1つの実施形態の図を図示している。その送信間隔構造200は、複数の異なるタイプのトラフィックを送信するために割り当てられている複数のリソースの共存を示している。この例においては、データは、周波数帯域fにわたって送信間隔tの間に、送信間隔構造200を使用して送信される。周波数帯域fにわたる送信間隔tは、時間周波数リソース領域210を定義する。本明細書における"領域"は、本明細書を通して時間周波数リソース領域と称される。その時間周波数リソース領域210は、第1のタイプのトラフィックの送信のために割り当てられてもよい。時間周波数リソース領域210の割り当ては、予め決定されていてもよく、或いは、動的であってもよい。
【００５８】
1つの実施形態において、第1のタイプのトラフィックとは異なる第2のタイプのトラフィックの送信のために、時間周波数リソース領域210の中に、(対角線で陰影をつけた)領域220を構成してもよい。1つの例では、第1のタイプのトラフィック及び第2のタイプのトラフィックは、異なる遅延又は信頼性を必要としてもよい。他の例では、第1のタイプのトラフィックは、データトラフィックであってもよく、第2のタイプのトラフィックは、動画トラフィックであってもよい。さらに別の例では、第1のタイプのトラフィックは、ペイロードデータであってもよく、第2のタイプのトラフィックは、制御情報を搬送する物理チャネルであってもよい。第1のタイプのトラフィック及び第2のタイプのトラフィックは、通信システムにおけるいずれかのタイプの適用可能なトラフィックを含んでもよい。その領域220は、第2のタイプのトラフィックのみを送信するために、あらかじめ構成されていてもよく、或いは、あらかじめ予約されていてもよい。代替的に、その領域220は、第2のタイプのトラフィックのために動的に構成されてもよい。領域220の構成は、トラフィックスループット、ネットワーク容量、送信サービス要件等の様々な理由又は要因に基づいて決定されてもよい。その領域220は、時間周波数リソース領域210の中の時間リソースの一部及び/又は周波数リソースの一部を占有してもよい。例えば、図2に示されているように、その領域220は、時間間隔t1及び全体の周波数帯域fを占有する。(図2に図示されていない)他の例では、その領域220は、全体の送信間隔t及び周波数帯域fの一部を占有してもよい。
【００５９】
このようにして、時間周波数リソース領域210は、同じ送信間隔の中で共存する複数の異なるタイプのトラフィックに割り当てられている時間周波数リソースを含む。1つの実施形態において、基地局又はUE等の通信デバイスは、時間周波数リソース領域210のうちで第2のタイプのトラフィックのためにあらかじめ予約されてはいない領域230等のリソースによって、第1のタイプのトラフィックのデータを送信し、そして、領域220の中で第2のタイプのトラフィックのデータを送信してもよい。時間周波数リソース領域210の中の制御領域の中で、領域220及び領域230において2つのタイプのトラフィックを送信するための制御情報を搬送してもよい。
【００６０】
同じシステムパラメータ又は異なるシステムパラメータを使用して、第1のタイプのトラフィック及び第2のタイプのトラフィックを送信してもよい。システムパラメータは、OFDMパラメータのセットを指す。OFDMパラメータは、例えば、サブキャリア間隔長、サイクリックプレフィックス長、OFDMシンボル長、又はスロット継続期間を含んでもよい。
【００６１】
複数の実施形態のうちのいくつかにおいて、第2のタイプのトラフィックのために予約されている領域220の一部が、第2のタイプのトラフィックを送信するために使用されていないか、又は、スケジューリングされていない場合に、第1のタイプのトラフィックを送信するのに、その使用されていない部分を使用してもよい。例えば、第2のタイプのトラフィックのデータを送信するのに、領域220の一部(又はサブ領域)222を使用し、他の部分(又はサブ領域)224は使用しない。第1のタイプのトラフィックを送信するのに、その使用されていない部分224の一部又は全体を使用してもよい。ある領域の"部分"は、本明細書においては、その領域の中の時間周波数領域と称される。
【００６２】
第1のタイプのトラフィックを送信するのに、第2のタイプのトラフィックのためにあらかじめ予約されているとともに使用されていない部分を利用するということを示す情報を提供してもよい。複数の実施形態のうちのいくつかにおいて、その使用されていない部分224において第1のタイプのトラフィックのデータを送信した後に、制御シグナリングを送信してもよい。例えば、送信間隔tの終端において、時間周波数リソース領域226において、その制御信号を送信してもよく、或いは、送信間隔tの後に続く他の送信間隔の中の時間周波数リソース領域228において、その制御信号を送信してもよい。1つの実装においては、時間周波数リソース領域228の中の(例えば、PDCCH等の)ダウンリンク物理制御チャネルによって、その制御シグナリングを搬送してもよい。
【００６３】
図2の部分222及び部分224は、周波数分割多重化(FDM)方式にしたがっているように示されている。示されているように、それらの2つの領域は、同じ時間リソースを占有するが、複数の異なる周波数リソースを占有する。図2には示されていないが、複数の実施形態のうちのいくつかにおいて、それらの部分222 及び224は、時分割多重化(TDM)方式にしたがっていてもよく、或いは、FDM及びTDMの混合方式にしたがっていてもよい。それらの部分222及び部分224は、領域220の中で複数の異なる時間周波数リソースを占有してもよい。
【００６４】
複数の実施形態のうちのいくつかにおいて、使用されていない部分224において第1のタイプのトラフィックを送信する場合に、部分222において第2のタイプのトラフィックを送信する場合と同じシステムパラメータを使用してもよい。複数の実施形態のうちのいくつかにおいて、部分222において第2のタイプのトラフィックを送信するとともに、使用されていない部分224において第1のタイプのトラフィックを送信するのに、複数の異なるシステムパラメータを使用してもよい。複数の実施形態のうちのいくつかにおいて、領域230及び使用されていない部分224において第1のタイプのトラフィックを送信するとともに、部分222において第2のタイプのトラフィックを送信するのに、複数の異なるシステムパラメータを使用してもよい。
【００６５】
(図2には示されていない)いくつかの実施形態において、時間周波数リソース領域210は、第2のタイプのトラフィックを送信するためにあらかじめ予約されている1つより多くの領域220を含んでもよい。その時間周波数リソース領域210の中の複数の領域220は、複数の異なる時間周波数リソースを占有してもよい。複数の実装のうちのいくつかの実装において、第2のタイプのトラフィックの送信のために、複数の領域220のうちの1つ又は複数を使用してもよく、或いは、使用しなくてもよい。第1のタイプのトラフィックを送信するのに、第2のタイプのトラフィックの送信に使用されていない1つ又は複数の領域220を使用してもよい。複数の実装のうちのいくつかの実装において、第1のタイプのトラフィックを送信するのに、1つ又は複数の領域200の中の1つ又は複数の使用されていない部分を使用してもよい。
【００６６】
第2のタイプのトラフィックを送信するためにあらかじめ予約されてはいない領域210の中のリソースは、第1のトラフィックタイプのリソースと称されてもよく、領域220は、第2のトラフィックタイプのリソースと称されてもよい。第1のタイプのトラフィックに割り当てられている送信間隔tの中に第2のトラフィックタイプのリソースを予約することによって、複数の異なるトラフィックタイプのためのリソースが、送信間隔tの中で共存することとなる。複数の異なるサービスのトラフィックを送信するための複数の異なるトラフィックタイプのリソースの共存は、サービス多重化効率を高める。さらに、第2のトラフィックタイプのリソースの使用されていない部分を使用すると、同様に、リソース使用効率が増大し、通信効率を改善させる。
【００６７】
以下の複数の実施形態は、ダウンリンク通信に関して説明される。しかしながら、これは、説明の便宜のために過ぎず、本開示の範囲を限定するものとして解釈されるべきではない。それらの複数の実施形態は、同様に、アップリンク通信、又は、ダウンリンク通信及びアップリンク通信の混合にも適用される。
【００６８】
複数の実施形態のうちのいくつかにおいて、基地局がサービスを提供するUEは、その基地局がサービスを提供する他のUEよりも低い遅延で、その基地局からデータを受信する必要がある場合がある。例えば、ある基地局は、第1のUE及び第2のUEを含む複数のUEにサービスを提供してもよい。その第1のUEは、インターネットにおいてブラウジングを行うのに使用されるモバイルデバイスであってもよい。第2のUEは、高速道路において走行する自律走行車両における機器であってもよい。その基地局は、双方のUEにサービスを提供しているが、第2のUEは、第1のUEと比較してより低い遅延でデータを受信する必要がある場合がある。その第2のUEは、また、第1のUEよりも高い信頼性でそのデータを受信する必要がある場合がある。その第2のUEは、超高信頼性低遅延通信(URLLC)トラフィックを有するUEであってもよい一方で、第1のUEは、拡張モバイルブロードバンド(eMBB)トラフィックを有するUEであってもよい。1つの実施形態においては、それらのUEうちのいくつかは、基地局から複数の異なるタイプのトラフィックを受信してもよく、例えば、あるUEは、URLLCトラフィック及びeMBBトラフィックの双方を受信してもよい。
【００６９】
説明の便宜のために、本開示では、基地局がサービスを提供する第2のグループのUEよりもより低遅延のダウンリンク通信を必要とするとともにBSがサービスを提供する第1のグループのUEは、(URLLCトラフィックを有するUE等の)"低遅延UE"と称されてもよく、第2のグループのUEは、(eMBBトラフィックを有するUE等の)"遅延耐性UE"と称されてもよい。基地局から低遅延UEに送信されるデータは、"低遅延データ"と称されてもよく、基地局から遅延耐性UEに送信されるデータは、"遅延耐性データ"と称されてもよい。基地局は、低遅延UE及び遅延耐性UEの双方による同じ時間周波数リソースの使用に対応することが可能であるフレーム構造を構成してもよい。
【００７０】
遅延耐性データのダウンリンク送信のために予約されているリソースは、遅延耐性リソースと称されてもよい。複数の実施形態のうちのいくつかにおいて、遅延耐性データのダウンリンク通信に使用されるリソースは、基地局によって分割されてもよく、それによって、低遅延データの送信のために、それらのリソースの一部を予約することが可能である。低遅延データのダウンリンク送信のために予約されているリソースは、"低遅延リソース"と称されてもよい。低遅延データは、本質的に、バースト性であってもよく、又は、散在性であってもよく、そして、短いパケットによって送信されてもよい。したがって、割り当てられている又は予約されている低遅延リソースのすべてを使用して送信される必要がある低遅延データが基地局に常に存在するとは限らない。
【００７１】
複数の実施形態のうちのいくつかにおいて、低遅延通信リソース及び遅延耐性通信リソースは、通信リソースの中に共存していてもよい。特に、基地局は、低遅延リソースによって、1つ又は複数の遅延耐性UEのための遅延耐性データを適時的にスケジューリングすることが可能である。遅延耐性データが1つ又は複数の低遅延リソースによってスケジューリングされる場合に、遅延耐性データがそれらの低遅延リソースによってスケジューリングされるということを示す制御シグナリングを使用する。低遅延リソースによって遅延耐性データのスケジューリングをするということは、それらの低遅延リソースを使用して遅延耐性データを送信することとして理解することが可能である。複数の実装のうちのいくつかにおいて、制御シグナリングは、遅延耐性データを送信するためにスケジューリングされる低遅延リソースの位置及び/又はフォーマットを示してもよい。その制御シグナリングは、遅延耐性データを送信するためにスケジューリングされる低遅延リソースの時間リソース、周波数リソース、及び/又は符号リソース等のリソース割り当て情報を含んでもよい。複数の実装のうちのいくつかにおいて、その制御シグナリングは、ダウンリンク制御情報(DCI)フォーマットの一部であってもよい。様々な実施形態において、低遅延データ、低遅延トラフィック、及び/又は低遅延リソースは、それぞれ、URLLCデータ、URLLCトラフィック、及び/又はURLLCリソースであってもよく、遅延耐性データ、遅延耐性トラフィック、及び/又は遅延耐性リソースは、それぞれ、eMBBデータ、eMBBトラフィック、及び/又はeMBBリソースであってもよい。
【００７２】
図3は、他の実施形態の送信間隔構造300の図を図示している。その送信間隔構造300は、低遅延通信リソース及び遅延耐性通信リソースの共存を示す。その送信間隔構造300は、周波数帯域fにわたる単一の時間リソーススロット(又は送信間隔)302を含む。その周波数帯域fにわたるタイムスロット302は、時間周波数領域を特定する。そのスロット302は、複数の長さが連続したOFDMシンボルであってもよい。例えば、長さが7シンボル又は14シンボル等の通常のサイクリックプレフィックスが使用される場合に、その時間リソーススロット302は、長さがn×7シンボルであってもよい(nは、正の整数である)。他の例では、長さが6シンボル又は12シンボル等の拡張サイクリックプレフィックス(eCP)が使用される場合に、その時間リソーススロット302は、また、長さがn×6シンボルであってもよい。示されているように、そのスロット302は、複数のOFDMシンボル306を含み、各々のOFDMシンボル306は、eMBBトラフィック等の遅延耐性トラフィックの通信に割り当てられる。この例では、OFDMシンボル306は、遅延耐性リソースである。スロット302は、遅延耐性スケジューリング間隔であってもよく、或いは、遅延耐性スケジューリング間隔が複数のスロットを含む場合の遅延耐性スケジューリング間隔の一部であってもよい。
【００７３】
複数の実施形態のうちのいくつかにおいて、スロットは、そのスロットよりも小さい複数のリソースユニットを含んでもよい。各々のより小さいリソースユニットは、複数の隣接するOFDMシンボルを含んでもよい。より小さいリソースユニットの中のOFDMシンボルの数は、そのスロットのOFDMシンボルの数よりも少ない。1つの特定のタイプのより小さなリソースユニットは、ミニスロットである。ミニスロットは、そのスロットの中の時間期間である。図3に示されているように、そのスロット302は、ミニスロット304を含む。この例では、そのミニスロット304は、URLLCトラフィック等の低遅延通信のためにあらかじめ予約されている。そのミニスロット304は、2つの隣接するOFDMシンボル308を含む。それらのOFDMシンボル308は、低遅延通信リソースと称されてもよい。それらのOFDMシンボル308は、OFDMシンボル306とは異なる長さを有してもよい。ミニスロット304は、例えば、長さが1シンボル、長さが2シンボル、長さが2nシンボル(nは正の整数である)、又は、他のいずれかの数のOFDMシンボルであってもよく、それによって、そのミニスロット304の中のOFDMシンボルの数は、スロット302のOFDMシンボルの数よりも少なくなる。このようにして、そのスロット302の中のOFDMシンボルは、遅延耐性通信リソース(すなわち、306)及び低遅延通信リソース(すなわち、308)として使用される。
【００７４】
低遅延通信リソース308の継続時間は、1つの送信時間単位(TTU)と等しくてもよく、或いは、複数のTTUを包含していてもよい。TTUは、例えば、低遅延データ送信等のある特定のタイプの送信に割り当てることが可能である最も短い時間単位である。TTUは、送信時間間隔(TTI)と称されることがあってもよい。1つの実施形態においては、低遅延通信リソース308は、遅延耐性スケジューリング間隔より短い継続時間を有する。
【００７５】
示されているように、ミニスロット304又は低遅延通信リソース308は、時間領域においてスロット302の一部を占有するが周波数帯域fの全体を占有する。他の変形も、また、適用可能であってもよい。例えば、ミニスロット304は、時間領域におけるスロット302の一部及び周波数領域における周波数帯域fの一部を占有してもよい。
【００７６】
スロット302は、ダウンリンク/アップリンクスイッチングギャップ310及びアップリンク送信機会312を有してもよい。例えば、ハイブリッド自動再送要求(HARQ)フィードバック、アップリンク制御チャネル、又は小さいアップリンクデータを送信するのに、アップリンク送信機会312を使用してもよい。"低遅延ダウンリンク通信及び遅延耐性ダウンリンク通信の共存"と題する米国仮出願第62/379,559号の中に、リソーススロットについてのさらなる詳細を見出すことが可能である。
【００７７】
複数の実施形態のうちのいくつかにおいて、遅延耐性送信及び低遅延送信のために複数の異なるシステムパラメータを使用してもよい。あらかじめ予約された低遅延リソースが低遅延送信のために使用されない場合には、遅延耐性送信に、それらのあらかじめ予約された低遅延リソースを使用してもよい。各々のタイプの送信に、それぞれのシステムパラメータを使用してもよい。遅延耐性送信が、使用されていないとともにあらかじめ予約された低遅延リソースを使用する場合に、遅延耐性送信は、他の遅延耐性リソースによって使用されているシステムパラメータと同じシステムパラメータを使用してもよく、或いは、低遅延リソースにしたがってシステムパラメータを使用してもよい。
【００７８】
1つの実施形態において、低遅延通信リソース及び遅延耐性通信リソースは、複数の異なるサブキャリア間隔を有していてもよい。例えば、遅延耐性通信リソース306は、30[kHz]のサブキャリア間隔を有してもよく、低遅延通信リソース308は、60[kHz]のサブキャリア間隔を有する。ダウンリンク/アップリンクスイッチングギャップ310及びアップリンク送信機会312は、60[kHz]のサブキャリア間隔を有していてもよい。この例では、低遅延通信リソース308は、時間領域における遅延耐性通信リソース306の幅の半分の幅を有する。言い換えると、低遅延通信リソース308のサブキャリア間隔は、遅延耐性通信リソース306のサブキャリア間隔の2倍である。本明細書においては、限定する目的ではなく例示の目的のために、30[kHz]又は60[kHz]のサブキャリア間隔を示すということを明確に意図している。また、送信のために使用されるシステムパラメータは、拡張可能であってもよいということを理解すべきである。例えば、サブキャリア間隔は、互いに整数倍であるか、或いは、互いに2nの関係を有する。低遅延通信リソース及び遅延耐性通信リソースのシステムパラメータに関する詳細は、"スロット又はシンボルの整列との複合的なシステムパラメータの共存のためのシステム及び方法"と題する米国仮出願第62/395,914号の中に見出すことが可能である。
【００７９】
図4は、他の実施形態の送信間隔構造400の図を図示している。図3の送信間隔構造300と同様に、送信間隔構造400も、また、低遅延通信リソース及び遅延耐性通信リソースの共存を示している。示されているように、送信間隔構造400は、周波数帯域fにわたって単一の時間リソーススロット(又は送信間隔)402を含む。周波数帯域fにわたる時間スロット402は、ある時間周波数領域を指定する。そのスロット402は、長さが7個の連続的なOFDMシンボル等の長さが複数個の連続的なOFDMシンボルであってもよい。送信間隔構造400は、遅延耐性トラフィックを送信するための遅延耐性リソースとして割り当てられるOFDMシンボル406及び低遅延通信のためにあらかじめ予約されているミニスロット404を含む。そのミニスロット404は、低遅延リソース408を含む。そのスロット402は、また、ダウンリンク/アップリンクスイッチングギャップ410及びアップリンク送信機会412を含んでもよい。1つ又は複数のあらかじめ予約された低遅延リソース408が低遅延送信のために使用されない場合に、遅延耐性送信のために、それらの1つ又は複数のあらかじめ予約された低遅延リソース408をスケジューリングしてもよい。
【００８０】
同様に、複数の実施形態のうちのいくつかにおいて、送信間隔構造400の遅延耐性送信及び低遅延送信のために複数の異なるシステムパラメータを使用してもよい。その送信間隔構造400は、送信間隔構造300とは異なるサブキャリア間隔を使用してもよく、或いは、使用しなくてもよい。1つの例では、遅延耐性通信リソース406は、15[kHz]のサブキャリア間隔を有し、低遅延通信リソース408は、60[kHz]のサブキャリア間隔を有する。ダウンリンク/アップリンクスイッチングギャップ410及びアップリンク送信機会412は、60[kHz]のサブキャリア間隔を有する。このように、低遅延通信リソース408は、時間領域において、遅延耐性通信リソース406の幅の4分の1の幅を有する。より一般的には、この実施形態においては、低遅延通信リソース408のサブキャリア間隔は、遅延耐性通信リソース406のサブキャリア間隔の4倍のサブキャリア間隔である。本明細書においては、限定する目的ではなく例示の目的のために、15[kHz]又は60[kHz]のサブキャリア間隔を示すということを明確に意図している。また、例えば、サブキャリア間隔が互いの整数倍であるか、或いは、互いに2nの関係を有する場合に、代替的なサブキャリア間隔構成が、本開示によって意図されるということを理解すべきである。
【００８１】
図3及び図4は、長さが7個のOFDMシンボルのリソーススロットを含む送信間隔構造を示している。リソーススロットの長さが14個のシンボルである(図示しない)これらの開示されている実施形態及び他の開示されている実施形態において、図3に示されている実施形態は、リソーススロットの始端に追加的な5個のシンボルを追加し、そして、リソーススロットの終端に追加的な2個のシンボルを追加してもよい。リソーススロットに14個のシンボルを提供するために、他の構成もまた適用可能であってもよい。例えば、図4に示されている実施形態は、リソーススロットの始端に追加的な7個のシンボルを追加してもよい。
【００８２】
図5は、他の実施形態の送信間隔構造500の図を図示している。その送信間隔構造500は、周波数帯域fにわたる時間リソーススロット(又は送信間隔)502を含む。周波数帯域fにわたるその時間スロット502は、時間周波数領域を指定する。その送信間隔構造500は、遅延耐性トラフィックを送信するための遅延耐性リソースとして割り当てられているOFDMシンボル506、低遅延通信のためにあらかじめ予約されているとともに低遅延リソース508を含むミニスロット504、ダウンリンク/アップリンクスイッチングギャップ510、及びアップリンク送信機会512を含む。低遅延通信リソース508及び遅延耐性通信リソース506は、異なるサブキャリア間隔を使用する。
【００８３】
この例では、低遅延通信のために予約されているミニスロット504に対応する時間周波数リソース領域514は、低遅延トラフィックを送信するのには使用されてはいない。その時間周波数リソース領域514は、周波数帯域fの帯域幅の一部及びミニスロット504の時間リソースの全体を占有している。その時間周波数リソース領域514は、また、ミニスロット504の帯域幅の一部及び時間リソースの一部のみを占有してもよい。その時間周波数リソース領域514は、使用されていない低遅延リソースと称されてもよい。
【００８４】
遅延耐性トラフィックを送信するための遅延耐性リソースとして、使用されていない低遅延リソース514を使用してもよい。この場合には、その使用されていない低遅延リソース514は、使用されていない低遅延通信リソース514を占有する追加的な遅延耐性通信リソースとして理解されてもよい。その使用されていない低遅延リソース514は、他の遅延耐性通信リソース506と同じサブキャリア間隔を使用してもよく、或いは、低遅延通信リソース508と同じサブキャリア間隔を使用してもよい。追加的な遅延耐性通信リソース514は、遅延耐性通信リソース506と連続していてもよく、或いは、隣接していなくてもよい。すなわち、図5に示されている複数のリソースは、複数の論理的なリソースとなっている。物理的リソースへの論理的リソースのマッピングは、連続的(すなわち、局所化されている)であってもよく、或いは、不連続的(すなわち、分散されている)であってもよい。
【００８５】
遅延耐性通信リソース506及び追加的な遅延耐性通信リソース514は、リソーススロット502にわたって同じシステムパラメータを使用してもよい。低遅延通信リソース508の時間領域の幅は、遅延耐性通信リソース506、514の時間領域の幅と等しくてもよい。他の例では、すべての低遅延OFDMシンボルの幅は、1つの遅延耐性OFDMシンボルの幅と等しくてもよい。
【００８６】
図6は、他の実施形態の送信間隔構造600の図を図示している。図5の送信間隔構造500と同様に、その送信間隔構造600は、周波数帯域fにわたる時間リソーススロット602を含む。周波数帯域fにわたる時間スロット602は、時間周波数領域を指定する。その送信間隔構造600は、遅延耐性トラフィックを送信するための遅延耐性リソースとして割り当てられているOFDMシンボル606、低遅延通信のためにあらかじめ予約されているとともに低遅延リソース608を含むミニスロット604、ダウンリンク/アップリンクスイッチングギャップ610、及びアップリンク送信機会612を含む。低遅延通信リソース608及び遅延耐性通信リソース606は、異なるサブキャリア間隔を使用する。
【００８７】
同様に、送信間隔構造600は、周波数帯域fの帯域幅の一部及びミニスロット604の時間リソースの全体を占有する使用されていない低遅延リソース614を含む。遅延耐性トラフィックを送信するための遅延耐性ソースとして、その使用されていない低遅延リソース614を使用してもよい。その使用されていない低遅延リソース614は、遅延耐性トラフィックを送信するために利用される場合に、他の遅延耐性通信リソース606と同じサブキャリア間隔を使用してもよく、或いは、低遅延通信リソース608と同じサブキャリア間隔を使用してもよい。その使用されていない低遅延通信リソース614は、遅延耐性通信リソース606と連続的であってもよく、或いは、非連続的であってもよい。
【００８８】
複数の実施形態のうちのいくつかにおいて、あるタイプのトラフィックに割り当てられている使用されていない通信リソースを、他のタイプのトラフィックのリソースとして使用するということを示す指標を送ってもよい。例えば、図1の基地局110等の基地局は、ネットワーク100の中の1つ又は複数のUEに、使用されていないあらかじめ予約されている低遅延リソースを(追加的な遅延耐性通信リソースとして)遅延耐性通信に割り当てるということを示してもよい。制御シグナリングを使用して、そのような指標を実装してもよい。その制御シグナリングは、(例えば、時間、周波数、及び/又は符号リソース等の)使用されていない低遅延通信リソースを遅延耐性通信リソースとしてスケジューリングするということを様々な方法で示してもよい。その制御シグナリングは、ダウンリンク制御情報(DCI)フォーマットの一部であってもよい。ある1つの例として、遅延耐性通信のためのリソース割り当てを示すための制御シグナリングは、(例えば、リソースブロック等の)時間周波数リソースを表すビットマップであってもよい。ある1つの例として図6を取り上げると、基地局は、低遅延通信リソース608の占有されていない部分の中の追加的な遅延耐性通信リソース614を示してもよい。代替的、基地局は、占有されている低遅延通信リソース608を示してもよく、それによって、占有されていない低遅延通信リソース614の位置を推測することが可能である。
【００８９】
図7は、他の実施形態の送信間隔構造700の図を図示している。その送信間隔構造700は、遅延耐性トラフィックを送信するために、使用されていない低遅延リソースを使用するか否かを示す制御シグナリングを含む。示されているように、送信間隔構造700は、時間リソーススロット702を含む。その送信間隔構造700は、遅延耐性トラフィックを送信するための遅延耐性リソースとして割り当てられているOFDMシンボル706、低遅延通信のためにあらかじめ予約されているとともに低遅延リソース708を含むミニスロット704、ダウンリンク/アップリンクスイッチングギャップ710、及びアップリンク送信機会712を含む。低遅延通信リソース708及び遅延耐性通信リソース706は、異なるサブキャリア間隔を使用する。
【００９０】
複数の実施形態のうちのいくつかにおいて、遅延耐性通信リソースとして、低遅延通信リソース708の使用されていない部分を利用するということを示す制御シグナリングは、スロット702の終端に位置する領域716の中に含まれていてもよい。その制御シグナリングは、そのリソーススロット702について、追加的な遅延耐性通信リソースとして、占有されていない低遅延通信リソース708のいずれ部分を使用したかを示してもよい。言い換えると、その制御シグナリングは、ミニスロット704の1つ又は複数の低遅延通信リソース708によって、遅延耐性トラフィックをスケジューリングするということを示す。
【００９１】
図8は、他の実施形態の送信間隔構造800の図を図示している。その送信間隔構造800は、送信間隔構造700と同じである。示されているように、その送信間隔構造800は、時間リソーススロット802を含む。その送信間隔構造800は、遅延耐性リソースとして割り当てられているOFDMシンボル806、低遅延通信のためにあらかじめ予約されているとともに低遅延リソース808を含むミニスロット804、ダウンリンク/アップリンクスイッチングギャップ810、及びアップリンク送信機会812を含む。低遅延通信リソース808及び遅延耐性通信リソース806は、異なるサブキャリア間隔を使用する。この例では、低遅延通信リソース808の使用されていない部分を、遅延耐性通信リソースとして利用するということを示す制御シグナリングは、領域816において発生し、その領域806は、リソーススロット802の後に続く次のリソーススロットの(例えば、ダウンリンク制御領域又はダウンリンク制御チャネル等の)始端に位置する。そのダウンリンク制御領域は、1つ又はそれ以上のOFDMシンボルに及ぶ。複数の実施形態のうちのいくつかにおいて、その制御シグナリングは、領域816の中の(例えば、PDCCH等の)物理ダウンリンク制御チャネルによって送信されるダウンリンク制御フォーマット(DCI)の一部であってもよい。
【００９２】
制御シグナリングは、リソーススロットの終端において発生するか、或いは、次のリソーススロットの始端において発生するかにかかわらず、ビットマップ等の様々な適用可能なシグナリングフォーマットを使用して実装されてもよい。複数の実施形態のうちのいくつかにおいて、複数のスロットに及ぶスケジューリング間隔で、遅延耐性送信をスケジューリングしてもよい。この場合には、制御シグナリングは、複数のスロットの終端において、或いは、スケジューリング間隔の後に続く次のスケジューリング間隔のダウンリンク制御チャネルにおいて、発生してもよい。他の実施形態においては、その制御シグナリングは、例えば、ミニスロット814等のリソーススロットの中の使用されていない低遅延通信リソースの後のリソース/シンボルに位置していてもよい。
【００９３】
図9は、他の実施形態の送信間隔構造900の図を図示している。その送信間隔構造900は、eMBBトラフィックの送信のために割り当てられている周波数帯域の中に2つの時間リソーススロット902及び904を含む。それらの2つの時間リソーススロット902及び904は、eMBBスロットと称されてもよい。この例では、それらのスロット902及び904の各々は、eMBBスケジューリング間隔であってもよい。複数の実施形態のうちのいくつかにおいて、それらのスロット902及び904は、1つのeMBBスケジューリング間隔の中に存在してもよい。周波数帯域にわたるそれらのスロット902及び904は、それぞれ時間周波数リソース領域906及び908を規定する。
【００９４】
時間リソーススロット902は、URLLCトラフィックの送信のためにあらかじめ予約されているミニスロットを含む。周波数帯域にわたるそのミニスロットは、URLLCリソース910a及び910b(時間周波数リソース領域910a及び910b)を規定する。示されているように、そのURLLCリソース910a及び910bは、周波数帯域の帯域幅の全体を占有するが、異なる時間リソースを含む。時間リソーススロット904は、また、ミニスロットを含み、そのミニスロットは、URLLCトラフィックの送信のためにあらかじめ予約されているURLLCリソース912を規定する。この場合には、URLLCリソースではない時間周波数リソース領域906及び908の中のリソースは、eMBBリソースと称される。それらのURLLCリソース910a、910b、及び912は、eMBBリソースとは異なる複数のシステムパラメータを使用してもよい。それらのURLLCリソース910a、910b、及び912は、また、互いに異なるシステムパラメータを使用してもよい。
【００９５】
この例では、スロット902の中のURLLCリソース910aによって、URLLCトラフィックをスケジューリングする。URLLCリソース910bは、URLLCトラフィックの送信のために予約されているが、いずれかのURLLCトラフィックを送信するようにはスケジューリングされてはいない。むしろ、そのURLLCリソース910bは、eMBBトラフィックを送信するようにスケジューリングされる。eMBBトラフィックを送信するようにスケジューリングされるURLLCリソース910bは、URLLCリソース910a又はeMBBリソースによって使用されるシステムパラメータとは異なるシステムパラメータを使用してもよい。1つの実施形態において、eMBBトラフィックを送信するようにスケジューリングされる前に、使用されていないURLLCリソース910bを再構成してもよく、それによって、その使用されていないURLLCリソース910bは、eMBBトラフィックを送信するのに適したOFDMパラメータのセットを使用する。
【００９６】
使用されていないあらかじめ予約されているURLLCリソースを、eMBBトラフィックを送信するために代わりに利用するか否かを示すのに、制御シグナリングを送ってもよい。この例では、その制御シグナリングは、eMBBスロットの終端に位置する制御シグナリング領域の中で送信される。示されているように、スロット902の制御シグナリングは、スロット902の終端に位置する制御シグナリング領域914の中で送信される。その制御シグナリングは、eMBBトラフィックを送信するためにURLLCリソース910bをスケジューリングするということ、又は、eMBBトラフィックがURLLCリソース910bの中で搬送されるということを示してもよい。その制御シグナリングは、また、他の情報を含んでもよく、それによって、eMBBトラフィックの受信機は、その受信機のためにURLLCリソース910bによって送信されるeMBBトラフィックを見つけて識別することが可能である。eMBBトラフィックを送信するためにURLLCリソース910bの一部のみが使用される場合には、その制御シグナリングは、URLLCリソース910bの一部によって送信されるeMBBトラフィックを見つけるためにその受信機に制御情報を提供することを必要とする。スロット904は、また、その制御シグナリングを送信するためにそのスロット904の終端に位置する制御シグナリング領域916を含む。同様に、制御信号は、スロット904の中のいずれかのURLLCリソースがeMBBトラフィックを送信するために使用されるか否かを示す。
【００９７】
図10は、他の実施形態の送信間隔構造1000の図を図示している。送信間隔構造900と同様に、送信間隔構造1000は、eMBBトラフィックの送信のために割り当てられている周波数帯域の中に2つの時間リソーススロット1002及び1004を含む。周波数帯域にわたるそれらのスロット1002及び1004は、それぞれの時間周波数リソース領域1006及び1008を規定する。それらの時間周波数リソース領域1006及び1008は、URLLCトラフィックを送信するためにあらかじめ予約されているそれぞれのURLLCリソース1010a、1010b、及び1012を含む。URLLCトラフィックのためにあらかじめ予約されてはいない時間周波数リソース領域1006及び1008の中の時間周波数リソースは、eMBBリソースと称される。図10は、スロット1002の中の、例えば、URLLCリソース1010a又はURLLCリソース1010b、或いは、それらの双方等のURLLCリソースの一部が、eMBBトラフィックを送信するようにスケジューリングされる場合に、スロット1004の中の制御領域1014の中で、そのようなスケジューリングを示す制御シグナリングを送信してもよいということを示している。制御領域1014は、スロット1004のダウンリンク制御領域(又はチャネル)の中に存在してもよい。複数の実施形態のうちのいくつかにおいて、URLLCリソース1012の後のスロット1004の中のeMBBリソースによって、或いは、スロット1004の直後の他のスロットの中のeMBBリソースによって、URLLCリソース1012がeMBBトラフィックを送信するようにスケジューリングされているか否かを示す制御シグナリングを送信してもよい。
【００９８】
上記で説明した開示の複数の実施形態において、第1のタイプのトラフィックを送信するためにあらかじめ予約されている時間周波数リソースが第2のタイプのトラフィックを送信するようにスケジューリングされているか否かを示す制御シグナリングを、その時間周波数リソースが位置しているスロットの終端において或いはそのスロットの後に続く他のスロットの制御領域において送信してもよい。当業者は、様々な適用可能な方法で、その制御シグナリングを送信してもよいということを認識するであろう。例えば、あらかじめ予約された時間周波数リソースによって第2のタイプのトラフィックを送信した後に、制御シグナリングを送信する。制御信号は、第2のタイプのトラフィックの受信機が、第1のタイプのトラフィックのためにあらかじめ予約されている時間周波数リソースによって送信される第2のタイプのトラフィックを識別するための制御信号である。
【００９９】
図11は、無線通信のため方法1100の実施形態のフローチャートを図示している。その方法1100は、基地局(BS)によって実行されてもよい。ステップ1102において、その方法1100は、時間周波数リソース領域のうちの第1の領域において第1のタイプのトラフィックの第1のデータを送信する。その時間周波数リソース領域は、第1の送信間隔を有する。その時間周波数リソース領域は、また、第2のタイプのトラフィックの送信のための第2の領域を含む。1つの実施形態において、第1のタイプのトラフィックは、eMBBトラフィック又は他の遅延耐性トラフィックであってもよく、第2のタイプのトラフィックは、URLLCトラフィック又は他の低遅延トラフィックであってもよい。第1の領域は、遅延耐性リソースを含んでもよく、第2の領域は低遅延リソースを含んでもよい。
【０１００】
ステップ1104において、その方法1100は、第2の領域の第1の部分が第2のタイプのトラフィックを送信するのに使用されていないということに応答して、第2の領域の第1の部分において第1のタイプのトラフィックの第2のデータを送信する。
【０１０１】
1つの実施形態において、第2のタイプのトラフィックの送信のために、第2の領域を予約してもよい。他の実施形態において。第2の領域は、非連続的な直交周波数分割多重化(OFDM)シンボルを含んでもよい。1つの実施形態において、第1の領域は、第2の領域とは異なる時間リソースを含んでもよい。他の実施形態において、第1の領域は、第2の領域とは異なる周波数リソースを含んでもよい。
【０１０２】
1つの実施形態において、方法1100は、第2の領域の第2の部分において第2のタイプのトラフィックの第3のデータを送信してもよい。異なるOFDMシステムパラメータを使用して、それらの第2のデータ及び第3のデータを送信することが可能である。OFDMシステムパラメータの各々は、OFDMパラメータのセットを含む。
【０１０３】
1つの実施形態において、第3のデータとは異なる時間リソースによって、第2のデータを送信してもよい。また、第3のデータとは異なる周波数リソースによって、第2のデータを送信してもよい。第1のデータとは異なるOFDMパラメータのセットを使用して、第2のデータを送信してもよい。
【０１０４】
1つの実施形態において、方法1100は、第2の領域の全体が第2のタイプのトラフィックを送信するのに使用されていないということに応答して、全体第2の領域によって第1のタイプのトラフィックの第2のデータを送信することによって、第2の領域の第1の部分において第1のタイプのトラフィックの第2のデータを送信してもよい。
【０１０５】
1つの実施形態において、方法1100は、さらに、第2の領域の第1の部分が第1のタイプのトラフィックを送信するのに使用されるか否かを示すシグナリングを送ってもよい。そのシグナリングは、第2のデータの受信機が、第2の領域において送信される第2のデータを他の情報にしたがって受信するための他の情報を含んでもよい。第1のタイプのトラフィックの第2のデータが第2の領域の第1の部分において送信された後に、第1の送信間隔で、そのシグナリングを送信してもよい。また、第1の送信間隔の後に続く第2の送信間隔で、そのシグナリングを送信してもよく、そのシグナリングは、第2の送信間隔のダウンリンク制御領域の中で搬送される。
【０１０６】
1つの実施形態において、第2のタイプのトラフィックは、第1のタイプのトラフィックよりも低遅延であることを必要としてもよい。他の実施形態において、第2のタイプのトラフィックは、制御シグナリング又は参照信号を含んでもよい。
【０１０７】
図12は、無線通信のための他の実施形態の方法1200のフローチャートを図示している。その方法1200は、UEによって実行されてもよい。ステップ1202において、その方法1200は、時間周波数リソース領域のうちの第1の領域の第1の部分が、第1のタイプのトラフィックの第1のデータを送信するのに使用されるという指標を受信する。その時間周波数リソース領域は、第1の送信間隔を有し、第1の領域は、第1のタイプのトラフィックとは異なる第2のタイプのトラフィックの送信のために予約されている。ステップ1204において、方法1200は、その指標にしたがって、第1の領域の第1の部分において第1のタイプのトラフィックの第1のデータを受信する。
【０１０８】
1つの実施形態において、第1のタイプのトラフィックの第1のデータが第1の領域の第1の部分において送信された後に、第1の送信間隔の中で、UEにその指標を送信してもよい。他の実施形態において、第1の送信間隔の後に続く第2の送信間隔の中で、UEにその指標を送信してもよく、その指標は、第2の送信間隔のダウンリンク制御領域/チャネルによって搬送される。
【０１０９】
1つの実施形態において、第2のタイプのトラフィックは、第1のタイプのトラフィックよりも低遅延であることを必要としてもよい。1つの実施形態において、第1の領域は、第2の領域とは異なる時間周波数リソースを含んでもよい。
【０１１０】
方法1200は、さらに、時間周波数リソース領域のうちの第2の領域において第1のタイプのトラフィックの第2のデータを受信してもよく、第2の領域は、第1のタイプのトラフィックの送信のために割り当てられる。方法1200は、また、第1の領域の第2部分において第2のタイプのトラフィックの第3のデータを受信するステップを含んでもよい。複数の異なるOFDMシステムパラメータを使用して、第1のデータ及び第3のデータを送信してもよい。OFDMシステムパラメータは、OFDMパラメータのセットを含む。第1のデータは、また、第3のデータとは異なる時間周波数リソースの中で送信されてもよい。
【０１１１】
実施形態の方法は、低遅延通信リソース及び遅延耐性通信リソースと関連して説明されているが、いずれかのタイプの通信リソースを使用することが可能であるということを理解すべきである。複数の実施形態のうちのいくつかにおいて、基地局は、時間領域リソーススロットの1つ又は複数の第1の時間周波数リソースの一部をUEに示してもよく、時間領域リソーススロットの1つ又は複数の第1の時間周波数リソースは、第1のタイプのトラフィックのためにあらかじめ予約されていてもよい。第1のタイプのトラフィックは、低遅延トラフィック、又は他のタイプのトラフィックであってもよい。時間領域リソーススロットの1つ又は複数の第1の時間周波数リソースを使用して、いずれかの第2のタイプのトラフィックを送信してもよい。1つの実施形態において、UEは、あらかじめ予約されている低遅延通信リソースが使用されるようには構成されておらず、再利用のために利用可能であるという指標を受信してもよい。そのような例では、UEは、遅延耐性通信のための使用されていないあらかじめ予約されている低遅延通信リソースに関して、基地局又は他の通信デバイスとの間で通信してもよい。UEが受信することが可能であるという指標は、スケジューリング間隔のダウンリンク制御領域において、又は、使用されていないあらかじめ予約されている低遅延通信リソースの後の遅延耐性通信のためのリソースの終端において、発生してもよい。1つの実施形態においては、UEが受信することが可能であるという指標は、あらかじめ予約されている低遅延通信リソースによる遅延耐性通信の後のリソースにおいて発生してもよい。
【０１１２】
複数の実施形態のうちのいくつかにおいて、スロットの始端において遅延耐性リソースによって、遅延耐性データ/遅延耐性トラフィック/遅延耐性通信をスケジューリングしてもよい。遅延耐性データ/遅延耐性トラフィック/遅延耐性通信は、そのスロットの中のあらかじめ予約されている低遅延リソースを占有していなくてもよい。そのスロットの継続時間の間に、到来しつつあるとともに、あらかじめ予約されている低遅延リソースによって送信する必要がある低遅延データ/低遅延トラフィック/低遅延通信が存在する場合がある。複数の実施形態のうちのいくつかにおいて、低遅延リソースのすべてが必要ではない場合に、基地局は、また、そのスロットの間に(すなわち、そのスロットの中で時間が進行するにつれて)、使用されていない低遅延リソースによって遅延耐性データ/遅延耐性トラフィック/遅延耐性通信をスケジューリングしてもよい。これらは、遅延耐性リソースの始端においてスケジューリングされていない/割り当てられていない追加的なリソースとなるであろう。
【０１１３】
複数の実施形態のうちのいくつかにおいて、遅延耐性データ/遅延耐性トラフィック/遅延耐性通信を受信するUEは、そのUEが、あるスロットの開始の時点において、(例えば、PDCCH等の)物理ダウンリンク制御チャネルにおいて制御シグナリングを復号化する場合に、追加的な遅延耐性データ/遅延耐性トラフィック/遅延耐性通信が、使用されていない低遅延リソースによってスケジューリングされたということを知らなくてもよい。例えば、そのスロットの中の遅延耐性データ/遅延耐性トラフィック/遅延耐性通信の終了の時点において生じる使用されていないあらかじめ予約された低遅延リソースの再割り当てのシグナリングの後に、或いは、同じスロットの中であるが遅延耐性データ/遅延耐性トラフィック/遅延耐性通信の後に、或いは、制御チャネルの中の次のスロットの始端において、様々な方法で、追加的な割り当てられる遅延耐性リソースをそのUEに通知してもよい。このように、そのUEは、低遅延リソースの中の占有されている追加的な遅延耐性データを"後処理"し、復号化することが可能である。
【０１１４】
図13は、ホストデバイスにインストールすることが可能であるとともに、本明細書において説明されている方法を実行するための処理システム1300のブロック図である。示されているように、処理システム1300は、プロセッサ1302、メモリ1304、及びインターフェイス1306乃至1310を含み、それらは、図13に示されているように配置されてもよい(或いは、配置されなくてもよい)。そのプロセッサ1302は、いずれかの構成要素又は構成要素の集合体であってもよく、それらのいずれかの構成要素又は構成要素の集合体は、計算及び/又は他の処理と関連付けられたタスクを実行するように適合されてもよく、そのメモリ1304は、いずれかの構成要素又は構成要素の集合体であってもよく、それらのいずれかの構成要素又は構成要素の集合体は、プロセッサ1302が実行するためのプログラミング及び/又は命令を格納するように適合されてもよい。ある1つの実施形態においては、メモリ1304は、非一時的コンピュータ読み取り可能な媒体を含む。インターフェイス1306、1308、1310は、いずれかの構成要素又は構成要素の集合体であってもよく、それらのいずれかの構成要素又は構成要素の集合体は、処理システム1300が他のデバイス/構成要素及び/又はユーザとの間で通信することを可能とする。例えば、インターフェイス1306、1308、1310のうちの1つ又は複数は、ホストデバイス及び/又はリモートデバイスにインストールされているアプリケーションに、プロセッサ1302からのデータ、制御、又は管理メッセージを通信するように適合されてもよい。他の例として、インターフェイス1306、1308、1310のうちの1つ又は複数は、ユーザ又は(例えば、パーソナルコンピュータ(PC)等の)ユーザデバイスが処理システム1300との間で対話し/通信することを可能とするように適合されてもよい。処理システム1300は、(例えば、不揮発性メモリ等の)長期的な記憶装置等の図13には示されていない追加的な構成要素を含んでもよい。
【０１１５】
複数の実施形態のうちのいくつかにおいて、処理システム1300は、ネットワークデバイスに含まれ、そのネットワークデバイスは、通信ネットワークにアクセスしているか、或いは、そうでない場合には、その一部となっている。1つの例では、処理システム1300は、基地局、中継局、スケジューラ、コントローラ、ゲートウェイ、ルータ、アプリケーションサーバ、又は通信ネットワークの中のいずれかの他のデバイス等の無線又は有線通信ネットワークの中のネットワーク側デバイスの中に存在する。他の実施形態においては、処理システム1300は、移動局、ユーザ機器(UE)、パーソナルコンピュータ(PC)、タブレット、(例えば、スマート時計等の)ウェアラブル通信デバイス、又は通信ネットワークにアクセスするように適合される他のいずれかのデバイス等の無線又は有線通信ネットワークにアクセスするユーザ側デバイスの中に存在する。
【０１１６】
複数の実施形態のうちのいくつかにおいて、インターフェイス1306、1308、1310のうちの1つ又は複数は、トランシーバーに処理システム1300を接続し、そのトランシーバーは、通信ネットワークを介してシグナリングを送信し及び受信するように適合される。図14は、トランシーバー1400のブロック図であり、そのトランシーバーは、電気通信ネットワークを介してシグナリングを送信し及び受信するように適合される。トランシーバー1400は、ホストデバイスに設置されてもよい。示されているように、トランシーバー1400は、ネットワーク側インターフェイス1402、カプラ1404、送信機1406、受信機1408、信号プロセッサ1410、及びデバイス側インターフェイス1412を含む。そのネットワーク側インターフェイス1402は、いずれかの構成要素又は構成要素の集合体を含んでもよく、それらの構成要素又は構成要素の集合体は、無線又は有線通信ネットワークを介してシグナリングを送信し或いは受信するように適合される。カプラ1404は、いずれかの構成要素又は構成要素の集合体を含んでもよく、それらの構成要素又は構成要素の集合体は、ネットワーク側インターフェイス1402を介する双方向通信を容易にするように適合される。送信機1406は、(例えばアップコンバータ、電力増幅器等の)いずれかの構成要素又は構成要素の集合体を含んでもよく、それらの構成要素又は構成要素の集合体は、ベースバンド信号を、ネットワーク側インターフェイス1402を介して送信するのに適している変調されたキャリア信号へと変換するように適合される。受信機1408は、(例えば、ダウンコンバータ、低雑音増幅器等の)いずれかの構成要素又は構成要素の集合体を含んでもよく、それらの構成要素又は構成要素の集合体は、ネットワーク側インターフェイス1402を介して受信するキャリア信号をベースバンド信号へと変換するように適合される。信号プロセッサ1410は、いずれかの構成要素又は構成要素の集合体を含んでもよく、それらの構成要素又は構成要素の集合体は、ベースバンド信号を、1つ又は複数のデバイス側インターフェイス1412を介して通信するのに適しているデータ信号へと変換するように、或いは、その逆に変換するように適合される。1つ又は複数のデバイス側インターフェイス1412は、信号プロセッサ1410と(例えば、処理システム1300、ローカルエリアネットワーク(LAN)ポート等の)ホストデバイスの中の複数の構成要素との間でデータ信号を通信するように適合される。
【０１１７】
トランシーバー1400は、いずれかのタイプの通信媒体を介してシグナリングを送信し及び受信してもよい。複数の実施形態のうちのいくつかにおいて、トランシーバー1400は、無線媒体を介してシグナリングを送信し及び受信する。例えば、トランシーバー1400は、無線トランシーバーであってもよく、その無線トランシーバーは、(例えば、ロングタームエボリューション(LTE)等の)セルラープロトコル、(例えば、Wi-Fi等の)無線ローカルエリアネットワーク(WLAN)、又は(例えば、ブルートゥース、近距離無線通信(NFC)等の)いずれかの他のタイプの無線プロトコル等の無線通信プロトコルにしたがって通信するように適合される。そのような実施形態においては、ネットワーク側インターフェイス1402は、1つ又は複数のアンテナ/放射素子を含む。例えば、ネットワーク側インターフェイス1402は、単一アンテナ、複数の個別のアンテナ、又は、例えば、単一入力多出力(SIMO)、多入力単一出力(MISO)、多入力多出力(MIMO)等の多層通信用に構成されるマルチアンテナアレイを含んでもよい。他の実施形態においては、トランシーバー1400は、例えば、ツイストペアケーブル、同軸ケーブル、光ファイバ等の有線媒体を介してシグナリングを送信し及び受信する。複数の特定の処理システム及び/又はトランシーバーは、示されている構成要素のすべてを利用してもよく、或いは、それらの構成要素のサブセットのみを利用してもよく、一体化の程度は、デバイスごとに変化してもよい。
【０１１８】
対応するユニット又はモジュールによって、本明細書において提示される実施形態の方法の1つ又は複数のステップを実行してもよいということを理解すべきである。例えば、送信ユニット又は送信モジュールによって、信号を送信してもよい。受信ユニット又は受信モジュールによって、信号を受信してもよい。処理ユニット又は処理モジュールによって、信号を処理してもよい。指示ユニット/モジュール、送信ユニット/モジュール、送出ユニット/モジュール、決定ユニット/モジュール、及び/又は受信ユニット/モジュールによって、他のステップを実行してもよい。それぞれのユニット/モジュールは、ハードウェア、ソフトウェア、又はそれらの組み合わせであってもよい。例えば、ユニット/モジュールのうちの1つ又は複数は、フィールドプログラマブルゲートアレイ(FPGA)又は特定用途向け集積回路(ASIC)等の集積回路であってもよい。
【０１１９】
本開示は、ある特定の順序で、複数のステップを使用する複数の方法及びプロセスを説明しているが、それらの複数の方法及びプロセスの1つ又は複数のステップを、適宜、省略してもよく、或いは、変更してもよい。必要に応じて、記載されている順序以外の順序で1つ又は複数のステップを実行してもよい。
【０１２０】
本出願は、少なくとも部分的には、方法に関して記載されているが、当業者は、本開示が、また、ハードウェア構成要素、ソフトウェア、又はそれらの2つのいずれかの組み合わせによるものであるそれらの複数の説明された方法の態様及び特徴のうちの少なくともいくつかを実行するための様々な構成要素にも関しているということを理解するであろう。したがって、ソフトウェア製品の形態で、本開示にしたがって説明されている技術的解決方法を具現化してもよい。例えば、DVD、CD-ROM、USBフラッシュディスク、取り外し可能なハードディスク、又は他の記憶媒体を含むあらかじめ記録された記憶デバイス、或いは、他の同様の不揮発性のコンピュータ読み取り可能な媒体又は非一時的コンピュータ読み取り可能な媒体の中に、適切なソフトウェア製品を格納してもよい。そのソフトウェア製品は、有体的に格納されている複数の命令を含み、それらの複数の命令は、(例えば、パーソナルコンピュータ、サーバ、又はネットワークデバイス等の)処理装置が、本明細書に開示されている複数の方法の複数の実施形態を実行することを可能にする。
【０１２１】
本開示は、複数の例示的な実施形態を参照して説明されてきたが、この説明は、限定的な意義に解釈されることを意図してはいない。それらの複数の例示的な実施形態の様々な修正及び組み合わせのみならず、本開示の他の実施形態も、説明を参照することにより、当業者には明らかとなるであろう。上記で説明された複数の実施形態のうちの1つ又は複数のうちの選択された特徴を組み合わせて、明示的に説明されていない代替的な実施形態を創造してもよく、そのような組み合わせに適している特徴は、本開示の範囲に属するとして理解される。したがって、添付の特許請求の範囲は、そのような修正又は実施形態のいずれも包含するということが意図される。
【図１】
2019534593.tif 000003
【図２】
2019534593.tif 000004
【図３】
2019534593.tif 000005
【図４】
2019534593.tif 000006
【図５】
2019534593.tif 000007
【図６】
2019534593.tif 000008
【図７】
2019534593.tif 000009
【図８】
2019534593.tif 000010
【図９】
2019534593.tif 000011
【図１０】
2019534593.tif 000012
【図１１】
2019534593.tif 000013
【図１２】
2019534593.tif 000014
【図１３】
2019534593.tif 000015
【図１４】
2019534593.tif 000016
【手続補正書】
【提出日】平成31年4月5日(2019.4.5)
【手続補正１】
【補正対象書類名】特許請求の範囲
【補正対象項目名】全文
【補正方法】変更
【補正の内容】
【特許請求の範囲】
【請求項１】
方法であって、
時間周波数リソース領域のうちの第1の領域の第1の部分が、第1のタイプのトラフィックの第1のデータを送信するのに使用されるという指標をユーザ機器(UE)によって受信するステップであって、前記時間周波数リソース領域は、第1の送信間隔を有し、前記第1の領域は、前記第1のタイプのトラフィックとは異なる第2のタイプのトラフィックの送信のために予約される、ステップと、
前記UEによって、前記指標にしたがって、前記第1の領域の前記第1の部分において前記第1のタイプのトラフィックの前記第1のデータを受信するステップと、を含む、
方法。
【請求項２】
前記第1のタイプのトラフィックの前記第1のデータが、前記第1の領域の前記第1の部分において送信された後に、前記指標は、前記第1の送信間隔の中で前記UEに送信される、請求項1に記載の方法。
【請求項３】
前記指標は、前記第1の送信間隔の後に続く第2の送信間隔の中で前記UEに送信され、前記指標は、前記第2の送信間隔のダウンリンク制御チャネルによって搬送される、請求項1乃至2のうちのいずれか1項に記載の方法。
【請求項４】
前記第2のタイプのトラフィックは、前記第1のタイプのトラフィックよりも低遅延であることを必要とする、請求項1乃至3のうちのいずれか1項に記載の方法。
【請求項５】
前記時間周波数リソース領域の第2の領域において前記第1のタイプのトラフィックの第2のデータを受信するステップをさらに含み、前記第2の領域は、前記第1のタイプのトラフィックの送信のために割り当てられている、請求項1乃至4のうちのいずれか1項に記載の方法。
【請求項６】
前記第1の領域は、前記第2の領域とは異なる時間周波数リソースを含む、請求項5に記載の方法。
【請求項７】
前記第1の領域の第2の部分において前記第2のタイプのトラフィックの第3のデータを受信するステップをさらに含む、請求項1乃至6のうちのいずれか1項に記載の方法。
【請求項８】
前記第1のデータ及び前記第3のデータは、異なるOFDMシステムパラメータを使用して送信され、OFDMシステムパラメータは、OFDMパラメータのセットを含む、請求項7に記載の方法。
【請求項９】
前記第1のデータは、前記第3のデータとは異なる時間周波数リソースによって送信される、請求項8に記載の方法。
【請求項１０】
デバイスであって、
複数の命令を含む非一時的なメモリ記憶装置と、
前記メモリ記憶装置と通信する1つ又は複数のプロセッサと、を含み、前記1つ又は複数のプロセッサは、前記複数の命令を実行して、
時間周波数リソース領域のうちの第1の領域の第1の部分が、第1のタイプのトラフィックの第1のデータを送信するのに使用されるという指標を受信し、前記時間周波数リソース領域は、第1の送信間隔を有し、前記第1の領域は、前記第1のタイプのトラフィックとは異なる第2のタイプのトラフィックの送信のために予約され、
前記指標にしたがって、前記第1の領域の前記第1の部分において前記第1のタイプのトラフィックの前記第1のデータを受信する、
デバイス。
【請求項１１】
前記第1のタイプのトラフィックの前記第1のデータが、前記第1の領域の前記第1の部分において送信された後に、前記指標は、前記第1の送信間隔の中で当該デバイスに送信される、請求項10に記載のデバイス。
【請求項１２】
前記指標は、前記第1の送信間隔の後に続く第2の送信間隔の中で当該デバイスに送信され、前記指標は、前記第2の送信間隔のダウンリンク制御チャネルによって搬送される、請求項10乃至11のうちのいずれか1項に記載のデバイス。
【請求項１３】
前記第2のタイプのトラフィックは、前記第1のタイプのトラフィックよりも低遅延であることを必要とする、請求項10乃至12のうちのいずれか1項に記載のデバイス。
【請求項１４】
前記1つ又は複数のプロセッサは、さらに、前記複数の命令を実行して、前記時間周波数リソース領域の第2の領域において前記第1のタイプのトラフィックの第2のデータを受信し、前記第2の領域は、前記第1のタイプのトラフィックの送信のために割り当てられている、請求項10乃至13のうちのいずれか1項に記載のデバイス。
【請求項１５】
前記第1の領域は、前記第2の領域とは異なる時間周波数リソースを含む、請求項14に記載のデバイス。
【請求項１６】
前記1つ又は複数のプロセッサは、さらに、前記複数の命令を実行して、前記第1の領域の第2の部分において前記第2のタイプのトラフィックの第3のデータを受信する、請求項10乃至15のうちのいずれか1項に記載のデバイス。
【請求項１７】
前記第1のデータ及び前記第3のデータは、異なるOFDMシステムパラメータを使用して送信され、OFDMシステムパラメータは、OFDMパラメータのセットを含む、請求項16に記載のデバイス。
【請求項１８】
前記第1のデータは、前記第3のデータとは異なる時間周波数リソースによって送信される、請求項17に記載のデバイス。
【請求項１９】
コンピュータ実行可能な命令を含むコンピュータプログラムであって、前記コンピュータ実行可能な命令がユーザ機器(UE)のプロセッサで実行されると、前記コンピュータ実行可能な命令は、
時間周波数リソース領域のうちの第1の領域の第1の部分が、第1のタイプのトラフィックの第1のデータを送信するのに使用されるという指標を受信するステップであって、前記時間周波数リソース領域は、第1の送信間隔を有し、前記第1の領域は、前記第1のタイプのトラフィックとは異なる第2のタイプのトラフィックの送信のために予約される、ステップと、
前記指標にしたがって、前記第1の領域の前記第1の部分において前記第1のタイプのトラフィックの前記第1のデータを受信するステップと、を含む方法を前記UEに実行させる、
コンピュータプログラム。
【手続補正２】
【補正対象書類名】明細書
【補正対象項目名】全文
【補正方法】変更
【補正の内容】
【発明の詳細な説明】
【技術分野】
【０００１】
[関連出願への相互参照]
この特許出願は、2016年10月11日付で出願された"低遅延通信リソース及び遅延耐性通信リソースの共存のためのシステム及び方法"と題する米国仮出願番号62/406,823、2016年9月16日付で出願された"スロット又はシンボルの整列との複合的なシステムパラメータの共存のためのシステム及び方法"と題する米国仮出願番号62/395,914、2016年8月25日付で出願された"低遅延ダウンリンク通信及び遅延耐性ダウンリンク通信の共存"と題する米国仮出願番号62/379,559、及び2017年6月30日付で出願された"低遅延通信リソース及び遅延耐性通信リソースの共存のためのシステム及び方法"と題する米国非仮出願番号15/640,242に基づく優先権を主張し、それらの内容は、その全体が複製されるように、参照により本明細書に取り込まれる。
【０００２】
[技術分野]
本開示は、概して、無線通信に関し、複数の特定の実施形態においては、低遅延通信リソース及び遅延耐性通信リソースの共存のためのシステム及び方法に関する。
【背景技術】
【０００３】
現代の無線ネットワークは、(例えば、音声、動画、データ等の)複数の多様なトラフィックタイプの通信をサポートし、それらの多様なトラフィックタイプは、送信のための複数の異なる要件を有する。例えば、対話的な動画のためのトラフィックは、遅延及び損失率に関して、ストリーミング動画のためのトラフィックとは異なる要件を有する場合がある。他の例では、オンラインゲームのためのトラフィックは、インターネットのブラウジングのためのトラフィックとは異なるスループット要件及び遅延要件を有する場合がある。ある通信ネットワークにおける複数の異なるタイプのトラフィックの送信に対応するシステム及び方法を開発することは望ましいであろう。
【発明の概要】
【０００４】
技術的な優位性は、低遅延通信リソース及び遅延耐性通信リソースの共存のためのシステム及び方法を説明するこの開示の複数の実施形態によって、概ね達成される。
【０００５】
本開示のある1つの態様によれば、方法であって、基地局(BS)によって、時間周波数リソース領域のうちの第1の領域において第1のタイプのトラフィックの第1のデータを送信するステップであって、前記時間周波数リソース領域は、第1の送信間隔を有し、前記時間周波数リソース領域は、第2のタイプのトラフィックの送信のための第2の領域を含む、ステップと、前記第2の領域の第1の部分が前記第2のタイプのトラフィックを送信するのに使用されていないということに応答して、前記BSによって、前記第2の領域の前記第1の部分において前記第1のタイプのトラフィックの第2のデータを送信するステップと、を含む方法が提供される。
【０００６】
選択的に、上記の態様のうちのいずれかの態様の複数の実施形態において、前記第2の領域は、前記第2のタイプのトラフィックの送信のために予約される。
【０００７】
選択的に、上記の態様又は実施形態のうちのいずれかにおいて、前記第2の領域は、非連続的な直交周波数分割多重化(OFDM)シンボルを含む。
【０００８】
選択的に、上記の態様又は実施形態のうちのいずれかにおいて、前記第1の領域は、前記第2の領域とは異なる時間リソースを含む。
【０００９】
選択的に、上記の態様又は実施形態のうちのいずれかにおいて、前記第1の領域は、前記第2の領域とは異なる周波数リソースを含む。
【００１０】
選択的に、上記の態様又は実施形態のうちのいずれかにおいて、当該方法は、前記BSによって、前記第2の領域の第2の部分において前記第2のタイプのトラフィックの第3のデータを送信するステップをさらに含む。
【００１１】
選択的に、上記の態様又は実施形態のうちのいずれかにおいて、前記第2のデータ及び前記第3のデータは、異なるOFDMシステムパラメータ(OFDM  numerologies)を使用して送信され、前記OFDMシステムパラメータの各々は、OFDMパラメータのセットを含む。
【００１２】
選択的に、上記の態様又は実施形態のうちのいずれかにおいて、前記第2のデータは、前記第3のデータとは異なる時間リソースによって送信される。
【００１３】
選択的に、上記の態様又は実施形態のうちのいずれかにおいて、前記第2のデータは、前記第3のデータとは異なる周波数リソースによって送信される。
【００１４】
選択的に、上記の態様又は実施形態のうちのいずれかにおいて、前記BSによって、前記第2の領域の前記第1の部分において前記第1のタイプのトラフィックの前記第2のデータを送信するステップは、
前記第2の領域の全体が前記第2のタイプのトラフィックを送信するのに使用されていないということに応答して、前記BSによって、前記第2の領域の全体において前記第1のタイプのトラフィックの前記第2のデータを送信するステップを含む。
【００１５】
選択的に、上記の態様又は実施形態のうちのいずれかにおいて、当該方法は、前記第2の領域の前記第1の部分が前記第1のタイプのトラフィックを送信するのに使用されているか否かを示すシグナリングを前記BSによって送るステップをさらに含む。
【００１６】
選択的に、上記の態様又は実施形態のうちのいずれかにおいて、前記第1のタイプのトラフィックの前記第2のデータが、前記第2の領域の前記第1の部分において送信された後に、前記シグナリングは、前記第1の送信間隔の中で送信される。
【００１７】
選択的に、上記の態様又は実施形態のうちのいずれかにおいて、前記シグナリングは、前記第1の送信間隔の後に続く第2の送信間隔の中で送信され、前記シグナリングは、前記第2の送信間隔のダウンリンク制御チャネルによって搬送される。
【００１８】
選択的に、上記の態様又は実施形態のうちのいずれかにおいて、前記第2のデータは、前記第1のデータとは異なるOFDMパラメータのセットを使用して送信される。
【００１９】
選択的に、上記の態様又は実施形態のうちのいずれかにおいて、前記第2のタイプのトラフィックは、前記第1のタイプのトラフィックよりも低遅延であることを必要とする。
【００２０】
選択的に、上記の態様又は実施形態のうちのいずれかにおいて、前記第2のタイプのトラフィックは、制御シグナリングを含む。
【００２１】
選択的に、上記の態様又は実施形態のうちのいずれかにおいて、前記第2のタイプのトラフィックは、参照信号を含む。
【００２２】
本開示の他の態様によれば、方法であって、時間周波数リソース領域のうちの第1の領域の第1の部分が、第1のタイプのトラフィックの第1のデータを送信するのに使用されるという指標をユーザ機器(UE)によって受信するステップであって、前記時間周波数リソース領域は、第1の送信間隔を有し、前記第1の領域は、前記第1のタイプのトラフィックとは異なる第2のタイプのトラフィックの送信のために予約される、ステップと、前記UEによって、前記指標にしたがって、前記第1の領域の前記第1の部分において前記第1のタイプのトラフィックの前記第1のデータを受信するステップと、を含む方法が提供される。
【００２３】
選択的に、上記の態様又は実施形態のうちのいずれかにおいて、前記第1のタイプのトラフィックの前記第1のデータが、前記第1の領域の前記第1の部分において送信された後に、前記指標は、前記第1の送信間隔の中で前記UEに送信される。
【００２４】
選択的に、上記の態様又は実施形態のうちのいずれかにおいて、前記指標は、前記第1の送信間隔の後に続く第2の送信間隔の中で前記UEに送信され、前記指標は、前記第2の送信間隔のダウンリンク制御チャネルによって搬送される。
【００２５】
選択的に、上記の態様又は実施形態のうちのいずれかにおいて、前記第2のタイプのトラフィックは、前記第1のタイプのトラフィックよりも低遅延であることを必要とする。
【００２６】
選択的に、上記の態様又は実施形態のうちのいずれかにおいて、当該方法は、前記時間周波数リソース領域の第2の領域において前記第1のタイプのトラフィックの第2のデータを受信するステップをさらに含み、前記第2の領域は、前記第1のタイプのトラフィックの送信のために割り当てられている。
【００２７】
選択的に、上記の態様又は実施形態のうちのいずれかにおいて、前記第1の領域は、前記第2の領域とは異なる時間周波数リソースを含む。
【００２８】
選択的に、上記の態様又は実施形態のうちのいずれかにおいて、当該方法は、前記第1の領域の第2の部分において前記第2のタイプのトラフィックの第3のデータを受信するステップをさらに含む。
【００２９】
選択的に、上記の態様又は実施形態のうちのいずれかにおいて、前記第1のデータ及び前記第3のデータは、異なるOFDMシステムパラメータを使用して送信され、OFDMシステムパラメータは、OFDMパラメータのセットを含む。
【００３０】
選択的に、上記の態様又は実施形態のうちのいずれかにおいて、前記第1のデータは、前記第3のデータとは異なる時間周波数リソースによって送信される。
【００３１】
本開示の他の態様によれば、デバイスであって、複数の命令を含む非一時的なメモリ記憶装置と、前記メモリ記憶装置と通信する1つ又は複数のプロセッサと、を含み、前記1つ又は複数のプロセッサは、前記複数の命令を実行して、時間周波数リソース領域の第1の領域において第1のタイプのトラフィックの第1のデータを送信し、前記時間周波数リソース領域は、第1の送信間隔を有するとともに、第2のタイプのトラフィックの送信のために予約される第2の領域を含み、前記第2の領域の第1の部分において前記第1のタイプのトラフィックの第2のデータを送信し、前記第2の領域の前記第1の部分は、前記第2のタイプのトラフィックを送信するために使用されない、デバイスが提供される。
【００３２】
選択的に、上記の態様又は実施形態のうちのいずれかにおいて、前記1つ又は複数のプロセッサは、前記複数の命令を実行して、さらに、前記第2の領域の第2の部分において前記第2のタイプのトラフィックの第3のデータを送信する。
【００３３】
選択的に、上記の態様又は実施形態のうちのいずれかにおいて、前記第2のデータ及び前記第3のデータは、異なるOFDMシステムパラメータを使用して送信され、前記OFDMシステムパラメータの各々は、OFDMパラメータのセットを含む。
【００３４】
選択的に、上記の態様又は実施形態のうちのいずれかにおいて、前記1つ又は複数のプロセッサは、前記複数の命令を実行して、さらに、前記第2の領域の前記第1の部分が前記第1のタイプのトラフィックを送信するのに使用されているか否かを示すシグナリングを送る。
【００３５】
選択的に、上記の態様又は実施形態のうちのいずれかにおいて、前記第1のタイプのトラフィックの前記第2のデータが、前記第2の領域の前記第1の部分において送信された後に、前記シグナリングは、前記第1の送信間隔の中で送られる。
【００３６】
選択的に、上記の態様又は実施形態のうちのいずれかにおいて、前記シグナリングは、前記第1の送信間隔の後に続く第2の送信間隔の中で送られ、前記シグナリングは、前記第2の送信間隔のダウンリンク制御チャネルによって搬送される。
【００３７】
本開示のさらに別の態様によれば、デバイスであって、複数の命令を含む非一時的なメモリ記憶装置と、前記メモリ記憶装置と通信する1つ又は複数のプロセッサと、を含み、前記1つ又は複数のプロセッサは、前記複数の命令を実行して、時間周波数リソース領域のうちの第1の領域の第1の部分が、第1のタイプのトラフィックの第1のデータを送信するのに使用されるという指標を受信し、前記時間周波数リソース領域は、第1の送信間隔を有し、前記第1の領域は、前記第1のタイプのトラフィックとは異なる第2のタイプのトラフィックの送信のために予約され、前記指標にしたがって、前記第1の領域の前記第1の部分において前記第1のタイプのトラフィックの前記第1のデータを受信する、デバイスが提供される。
【００３８】
選択的に、上記の態様又は実施形態のうちのいずれかにおいて、前記第1のタイプのトラフィックの前記第1のデータが、前記第1の領域の前記第1の部分において送信された後に、前記指標は、前記第1の送信間隔の中で当該デバイスに送信される。
【００３９】
選択的に、上記の態様又は実施形態のうちのいずれかにおいて、前記指標は、前記第1の送信間隔の後に続く第2の送信間隔の中で当該デバイスに送信され、前記指標は、前記第2の送信間隔のダウンリンク制御チャネルによって搬送される。
【００４０】
選択的に、上記の態様又は実施形態のうちのいずれかにおいて、前記第2のタイプのトラフィックは、前記第1のタイプのトラフィックよりも低遅延であることを必要とする。
【００４１】
選択的に、上記の態様又は実施形態のうちのいずれかにおいて、前記1つ又は複数のプロセッサは、さらに、前記複数の命令を実行して、前記時間周波数リソース領域の第2の領域において前記第1のタイプのトラフィックの第2のデータを受信し、前記第2の領域は、前記第1のタイプのトラフィックの送信のために割り当てられている。
【００４２】
選択的に、上記の態様又は実施形態のうちのいずれかにおいて、前記第1の領域は、前記第2の領域とは異なる時間周波数リソースを含む。
【００４３】
選択的に、上記の態様又は実施形態のうちのいずれかにおいて、前記1つ又は複数のプロセッサは、さらに、前記複数の命令を実行して、前記第1の領域の第2の部分において前記第2のタイプのトラフィックの第3のデータを受信する。
【００４４】
選択的に、上記の態様又は実施形態のうちのいずれかにおいて、前記第1のデータ及び前記第3のデータは、異なるOFDMシステムパラメータを使用して送信され、OFDMシステムパラメータは、OFDMパラメータのセットを含む。
【００４５】
選択的に、上記の態様又は実施形態のうちのいずれかにおいて、前記第1のデータは、前記第3のデータとは異なる時間周波数リソースによって送信される。
【００４６】
上記の態様のうちのいずれかの態様によれば、同じ時間周波数リソースの中で、複数の異なるサービスのための複数の異なるタイプのトラフィックをスケジューリングすることが可能であるとともに、それらの複数の異なるタイプのトラフィックを送信するために、同じ時間周波数リソースの中で共存している複数の異なるタイプのリソースを割り当てることが可能である。このようにして、サービスの多重化の効率が高められる。
【図面の簡単な説明】
【００４７】
本開示及び本開示の利点のより完全な理解のために、以下では、複数の添付の図面と併せて以下の説明を参照する。
【００４８】
【図１】無線通信ネットワークのある1つの実施形態の図を図示している。
【図２】送信間隔構造のある1つの実施形態の図を図示している。
【図３】送信間隔構造の他の実施形態の図を図示している。
【図４】送信間隔構造のさらに別の実施形態の図を図示している。
【図５】送信間隔構造のさらに別の実施形態の図を図示している。
【図６】送信間隔構造のさらに別の実施形態の図を図示している。
【図７】送信間隔構造のさらに別の実施形態の図を図示している。
【図８】送信間隔構造のさらに別の実施形態の図を図示している。
【図９】送信間隔構造のさらに別の実施形態の図を図示している。
【図１０】送信間隔構造のさらに別の実施形態の図を図示している。
【図１１】無線通信方法のある1つの実施形態のフローチャートを図示している。
【図１２】無線通信方法の他の実施形態のフローチャートを図示している。
【図１３】処理システムのある1つの実施形態のブロック図である。
【図１４】トランシーバーのある1つの実施形態のブロック図である。
【発明を実施するための形態】
【００４９】
本開示の複数の実施形態の作成及び使用を、以下で詳細に説明する。一方で、多種多様な具体的な状況において、本明細書において開示されている概念を具体化することが可能であり、そして、本明細書において議論されている複数の特定の実施形態は、例示にすぎず、請求項に記載された発明の範囲を限定するのに役立たないということを理解すべきである。さらに、添付の特許請求の範囲によって規定される本開示の趣旨及び範囲から離れることなく、本明細書において、様々な変更、置換、及び改変を行うことが可能であるということを理解すべきである。
【００５０】
同じ時間周波数リソースの中で、複数の異なるサービスのための複数の異なるタイプのトラフィックをスケジューリングすることが可能であるとともに、それらの複数の異なるタイプのトラフィックを送信するために、同じ時間周波数リソースの中で共存している複数の異なるタイプのリソースを割り当てることが可能である。このようにして、サービスの多重化の効率が高められる。
【００５１】
本開示の複数の態様は、複数の異なるタイプのトラフィックの送信のために割り当てられている複数のリソースが、ある送信間隔の中で共存している無線通信方法を提供する。それらの複数の異なるタイプのトラフィックは、例えば、動画トラフィック、音声トラフィック、及びデータトラフィックを含んでもよい。それらの複数の異なるタイプのトラフィックは、異なる遅延要件を有するといったように、異なるサービス品質要件を有するトラフィックであってもよい。それらの複数の異なるタイプのトラフィックは、また、(例えば、physical  downlink  control  channel  (PDCCH),  HARQ  Ack/Nack等の)制御情報、ペイロードデータ、又は(例えば、demodulation  reference  signals  (DMRS),  channel  state  information  reference  signals  (CSI-RS)等の)参照信号を搬送するトラフィックであってもよい。
【００５２】
複数の実施形態のうちのいくつかにおいては、第1のタイプのトラフィック及び第2のタイプのトラフィックに割り当てられているリソースは、ある送信間隔の中で共存している。その第1のタイプのトラフィックに割り当てられている第1のリソースが、第1のタイプのトラフィックを送信するようにスケジューリングされていない場合には、第2のタイプのトラフィックのデータを送信するのに、その第1のリソースを使用してもよい。その第1のリソースが第2のタイプのトラフィックを送信するようにスケジューリングされているということを示す指標を送ってもよく、それによって、受信機は、第1のタイプのトラフィックに割り当てられている第1のリソースによって、送信される第2のタイプのトラフィックのデータを受信することが可能である。
【００５３】
図1は、データを通信するためのネットワーク100の図である。そのネットワーク100は、カバレッジエリア101を有する基地局110、複数のモバイルデバイス120、及びバックホールネットワーク130を含む。図示されているように、基地局110は、それらの複数のモバイルデバイス120との間でアップリンク(破線)接続及び/又はダウンリンク(点線)接続を確立し、それらの複数のモバイルデバイス120は、それらの複数のモバイルデバイス120から基地局110へ、及び、基地局110からそれらの複数のモバイルデバイス120へ、データを搬送する働きをする。アップリンク/ダウンリンク接続を介して搬送されるデータは、複数のモバイルデバイス120の間で通信されるデータのみならず、バックホールネットワーク130によって(図示しない)リモートエンドとの間で通信されるデータを含んでもよい。あるモバイルデバイス120から基地局110への無線通信は、アップリンク通信と称されてもよい。基地局110からモバイルデバイス120への無線通信は、ダウンリンク通信と称されてもよい。本明細書で使用される場合には、"基地局"の語は、ネットワークへの無線アクセスを提供するように構成される強化型基地局(eNB)、マクロセル、フェムトセル、Wi-Fiアクセスポイント(AP)、又はその他の無線対応デバイス等のいずれかの構成要素(又は構成要素の集合体)を指す。基地局は、例えば、ロングタームエボリューション(LTE)、LTEアドバンスト(LTE-A)、新たな無線(NR)、高速パケットアクセス(HSPA)、Wi-Fi  802.11a/b/g/n/ac等の1つ又は複数の無線通信プロトコルにしたがって無線アクセスを提供してもよい。本明細書で使用される場合には、"モバイルデバイス"の語は、基地局との間で無線接続を確立することが可能であるユーザ機器(UE)、移動局(STA)、及び他の無線対応デバイス等のいずれかの構成要素(又は構成要素の集合体)を指す。UEは、1つ又は複数の基地局との間で無線によって通信してもよい。複数の実施形態のうちのいくつかにおいては、ネットワーク100は、中継器、低電力ノード等の様々な他の無線デバイスを含んでもよい。直交周波数分割多重化(OFDM)シンボルを送信することによって、ネットワーク100の中の無線通信を実行してもよい。ネットワークは、また、CDMA、TDMA、FDMA、OFDMA、及びSC-FDMA等の他の適用可能な無線通信技術を使用してもよい。
【００５４】
ネットワーク100においてアップリンク通信及びダウンリンク通信を実行するのに複数のリソースが必要とされる。例えば、基地局は、ある特定の時間期間の間に、ある特定の周波数において、ダウンリンク通信によってUEにデータを無線で送信してもよい。その周波数及び時間期間は、複数のリソースの例である。基地局は、その基地局がサービスを提供するUEに、ダウンリンク通信のためのリソースを割り当てる。
【００５５】
ネットワーク100は、複数の異なるタイプのトラフィックの送信をサポートするように構成されてもよい。例えば、それらの複数の異なるタイプのトラフィックは、動画トラフィック、音声トラフィック、及びデータトラフィックを含んでもよい。それらの複数の異なるタイプのトラフィックは、異なる遅延要件、異なる誤り率要件、又は他のサービス品質要件等の複数の異なる通信要件を有してもよい。それらの複数の異なるタイプのトラフィックは、また、制御情報、ペイロードデータ、又は参照信号等の異なるタイプの情報を含んでもよい。
【００５６】
本明細書においては、"トラフィック"の語は、一般的に、"データ"の語と互換的に使用されるが、それらの語が使用される文脈から明らかであるように、場合によっては、互いに異なる範囲で、それらの語を使用してもよい。例えば、低遅延通信トラフィックは、比較的短い送信間隔を有するデータの表現であってもよく、遅延耐性通信トラフィックは、比較的長い送信間隔を有するデータの表現であってもよい。複数の実施形態のうちのいくつかにおいては、15[kHz]のサブキャリア間隔を有するデータは、比較的長い送信間隔を有するデータとして理解されてもよい一方で、30[kHz]/60[kHz]/120[kHz]のサブキャリア間隔を有するデータは、比較的短い送信間隔を有するデータとして理解されてもよい。他の実施形態においては、30[kHz]のサブキャリア間隔を有するデータは、比較的長い送信間隔を有するデータとして理解されてもよい一方で、60[kHz]/120[kHz]のサブキャリア間隔を有するデータは、比較的短い送信間隔を有するデータとして理解されてもよい。15[kHz]、30[kHz]、60[kHz]、及び120[kHz]が例示の目的で示されているが、これらには限定されないということが明確に意図されている。
【００５７】
図2は、送信間隔構造200のある1つの実施形態の図を図示している。その送信間隔構造200は、複数の異なるタイプのトラフィックを送信するために割り当てられている複数のリソースの共存を示している。この例においては、データは、周波数帯域fにわたって送信間隔tの間に、送信間隔構造200を使用して送信される。周波数帯域fにわたる送信間隔tは、時間周波数リソース領域210を定義する。本明細書における"領域"は、本明細書を通して時間周波数リソース領域と称される。その時間周波数リソース領域210は、第1のタイプのトラフィックの送信のために割り当てられてもよい。時間周波数リソース領域210の割り当ては、予め決定されていてもよく、或いは、動的であってもよい。
【００５８】
1つの実施形態において、第1のタイプのトラフィックとは異なる第2のタイプのトラフィックの送信のために、時間周波数リソース領域210の中に、(対角線で陰影をつけた)領域220を構成してもよい。1つの例では、第1のタイプのトラフィック及び第2のタイプのトラフィックは、異なる遅延又は信頼性を必要としてもよい。他の例では、第1のタイプのトラフィックは、データトラフィックであってもよく、第2のタイプのトラフィックは、動画トラフィックであってもよい。さらに別の例では、第1のタイプのトラフィックは、ペイロードデータであってもよく、第2のタイプのトラフィックは、制御情報を搬送する物理チャネルであってもよい。第1のタイプのトラフィック及び第2のタイプのトラフィックは、通信システムにおけるいずれかのタイプの適用可能なトラフィックを含んでもよい。その領域220は、第2のタイプのトラフィックのみを送信するために、あらかじめ構成されていてもよく、或いは、あらかじめ予約されていてもよい。代替的に、その領域220は、第2のタイプのトラフィックのために動的に構成されてもよい。領域220の構成は、トラフィックスループット、ネットワーク容量、送信サービス要件等の様々な理由又は要因に基づいて決定されてもよい。その領域220は、時間周波数リソース領域210の中の時間リソースの一部及び/又は周波数リソースの一部を占有してもよい。例えば、図2に示されているように、その領域220は、時間間隔t1及び全体の周波数帯域fを占有する。(図2に図示されていない)他の例では、その領域220は、全体の送信間隔t及び周波数帯域fの一部を占有してもよい。
【００５９】
このようにして、時間周波数リソース領域210は、同じ送信間隔の中で共存する複数の異なるタイプのトラフィックに割り当てられている時間周波数リソースを含む。1つの実施形態において、基地局又はUE等の通信デバイスは、時間周波数リソース領域210のうちで第2のタイプのトラフィックのためにあらかじめ予約されてはいない領域230等のリソースによって、第1のタイプのトラフィックのデータを送信し、そして、領域220の中で第2のタイプのトラフィックのデータを送信してもよい。時間周波数リソース領域210の中の制御領域の中で、領域220及び領域230において2つのタイプのトラフィックを送信するための制御情報を搬送してもよい。
【００６０】
同じシステムパラメータ又は異なるシステムパラメータを使用して、第1のタイプのトラフィック及び第2のタイプのトラフィックを送信してもよい。システムパラメータは、OFDMパラメータのセットを指す。OFDMパラメータは、例えば、サブキャリア間隔長、サイクリックプレフィックス長、OFDMシンボル長、又はスロット継続期間を含んでもよい。
【００６１】
複数の実施形態のうちのいくつかにおいて、第2のタイプのトラフィックのために予約されている領域220の一部が、第2のタイプのトラフィックを送信するために使用されていないか、又は、スケジューリングされていない場合に、第1のタイプのトラフィックを送信するのに、その使用されていない部分を使用してもよい。例えば、第2のタイプのトラフィックのデータを送信するのに、領域220の一部(又はサブ領域)222を使用し、他の部分(又はサブ領域)224は使用しない。第1のタイプのトラフィックを送信するのに、その使用されていない部分224の一部又は全体を使用してもよい。ある領域の"部分"は、本明細書においては、その領域の中の時間周波数領域と称される。
【００６２】
第1のタイプのトラフィックを送信するのに、第2のタイプのトラフィックのためにあらかじめ予約されているとともに使用されていない部分を利用するということを示す情報を提供してもよい。複数の実施形態のうちのいくつかにおいて、その使用されていない部分224において第1のタイプのトラフィックのデータを送信した後に、制御シグナリングを送信してもよい。例えば、送信間隔tの終端において、時間周波数リソース領域226において、その制御信号を送信してもよく、或いは、送信間隔tの後に続く他の送信間隔の中の時間周波数リソース領域228において、その制御信号を送信してもよい。1つの実装においては、時間周波数リソース領域228の中の(例えば、PDCCH等の)ダウンリンク物理制御チャネルによって、その制御シグナリングを搬送してもよい。
【００６３】
図2の部分222及び部分224は、周波数分割多重化(FDM)方式にしたがっているように示されている。示されているように、それらの2つの領域は、同じ時間リソースを占有するが、複数の異なる周波数リソースを占有する。図2には示されていないが、複数の実施形態のうちのいくつかにおいて、それらの部分222 及び224は、時分割多重化(TDM)方式にしたがっていてもよく、或いは、FDM及びTDMの混合方式にしたがっていてもよい。それらの部分222及び部分224は、領域220の中で複数の異なる時間周波数リソースを占有してもよい。
【００６４】
複数の実施形態のうちのいくつかにおいて、使用されていない部分224において第1のタイプのトラフィックを送信する場合に、部分222において第2のタイプのトラフィックを送信する場合と同じシステムパラメータを使用してもよい。複数の実施形態のうちのいくつかにおいて、部分222において第2のタイプのトラフィックを送信するとともに、使用されていない部分224において第1のタイプのトラフィックを送信するのに、複数の異なるシステムパラメータを使用してもよい。複数の実施形態のうちのいくつかにおいて、領域230及び使用されていない部分224において第1のタイプのトラフィックを送信するとともに、部分222において第2のタイプのトラフィックを送信するのに、複数の異なるシステムパラメータを使用してもよい。
【００６５】
(図2には示されていない)いくつかの実施形態において、時間周波数リソース領域210は、第2のタイプのトラフィックを送信するためにあらかじめ予約されている1つより多くの領域220を含んでもよい。その時間周波数リソース領域210の中の複数の領域220は、複数の異なる時間周波数リソースを占有してもよい。複数の実装のうちのいくつかの実装において、第2のタイプのトラフィックの送信のために、複数の領域220のうちの1つ又は複数を使用してもよく、或いは、使用しなくてもよい。第1のタイプのトラフィックを送信するのに、第2のタイプのトラフィックの送信に使用されていない1つ又は複数の領域220を使用してもよい。複数の実装のうちのいくつかの実装において、第1のタイプのトラフィックを送信するのに、1つ又は複数の領域200の中の1つ又は複数の使用されていない部分を使用してもよい。
【００６６】
第2のタイプのトラフィックを送信するためにあらかじめ予約されてはいない領域210の中のリソースは、第1のトラフィックタイプのリソースと称されてもよく、領域220は、第2のトラフィックタイプのリソースと称されてもよい。第1のタイプのトラフィックに割り当てられている送信間隔tの中に第2のトラフィックタイプのリソースを予約することによって、複数の異なるトラフィックタイプのためのリソースが、送信間隔tの中で共存することとなる。複数の異なるサービスのトラフィックを送信するための複数の異なるトラフィックタイプのリソースの共存は、サービス多重化効率を高める。さらに、第2のトラフィックタイプのリソースの使用されていない部分を使用すると、同様に、リソース使用効率が増大し、通信効率を改善させる。
【００６７】
以下の複数の実施形態は、ダウンリンク通信に関して説明される。しかしながら、これは、説明の便宜のために過ぎず、本開示の範囲を限定するものとして解釈されるべきではない。それらの複数の実施形態は、同様に、アップリンク通信、又は、ダウンリンク通信及びアップリンク通信の混合にも適用される。
【００６８】
複数の実施形態のうちのいくつかにおいて、基地局がサービスを提供するUEは、その基地局がサービスを提供する他のUEよりも低い遅延で、その基地局からデータを受信する必要がある場合がある。例えば、ある基地局は、第1のUE及び第2のUEを含む複数のUEにサービスを提供してもよい。その第1のUEは、インターネットにおいてブラウジングを行うのに使用されるモバイルデバイスであってもよい。第2のUEは、高速道路において走行する自律走行車両における機器であってもよい。その基地局は、双方のUEにサービスを提供しているが、第2のUEは、第1のUEと比較してより低い遅延でデータを受信する必要がある場合がある。その第2のUEは、また、第1のUEよりも高い信頼性でそのデータを受信する必要がある場合がある。その第2のUEは、超高信頼性低遅延通信(URLLC)トラフィックを有するUEであってもよい一方で、第1のUEは、拡張モバイルブロードバンド(eMBB)トラフィックを有するUEであってもよい。1つの実施形態においては、それらのUEうちのいくつかは、基地局から複数の異なるタイプのトラフィックを受信してもよく、例えば、あるUEは、URLLCトラフィック及びeMBBトラフィックの双方を受信してもよい。
【００６９】
説明の便宜のために、本開示では、基地局がサービスを提供する第2のグループのUEよりもより低遅延のダウンリンク通信を必要とするとともにBSがサービスを提供する第1のグループのUEは、(URLLCトラフィックを有するUE等の)"低遅延UE"と称されてもよく、第2のグループのUEは、(eMBBトラフィックを有するUE等の)"遅延耐性UE"と称されてもよい。基地局から低遅延UEに送信されるデータは、"低遅延データ"と称されてもよく、基地局から遅延耐性UEに送信されるデータは、"遅延耐性データ"と称されてもよい。基地局は、低遅延UE及び遅延耐性UEの双方による同じ時間周波数リソースの使用に対応することが可能であるフレーム構造を構成してもよい。
【００７０】
遅延耐性データのダウンリンク送信のために予約されているリソースは、遅延耐性リソースと称されてもよい。複数の実施形態のうちのいくつかにおいて、遅延耐性データのダウンリンク通信に使用されるリソースは、基地局によって分割されてもよく、それによって、低遅延データの送信のために、それらのリソースの一部を予約することが可能である。低遅延データのダウンリンク送信のために予約されているリソースは、"低遅延リソース"と称されてもよい。低遅延データは、本質的に、バースト性であってもよく、又は、散在性であってもよく、そして、短いパケットによって送信されてもよい。したがって、割り当てられている又は予約されている低遅延リソースのすべてを使用して送信される必要がある低遅延データが基地局に常に存在するとは限らない。
【００７１】
複数の実施形態のうちのいくつかにおいて、低遅延通信リソース及び遅延耐性通信リソースは、通信リソースの中に共存していてもよい。特に、基地局は、低遅延リソースによって、1つ又は複数の遅延耐性UEのための遅延耐性データを適時的にスケジューリングすることが可能である。遅延耐性データが1つ又は複数の低遅延リソースによってスケジューリングされる場合に、遅延耐性データがそれらの低遅延リソースによってスケジューリングされるということを示す制御シグナリングを使用する。低遅延リソースによって遅延耐性データのスケジューリングをするということは、それらの低遅延リソースを使用して遅延耐性データを送信することとして理解することが可能である。複数の実装のうちのいくつかにおいて、制御シグナリングは、遅延耐性データを送信するためにスケジューリングされる低遅延リソースの位置及び/又はフォーマットを示してもよい。その制御シグナリングは、遅延耐性データを送信するためにスケジューリングされる低遅延リソースの時間リソース、周波数リソース、及び/又は符号リソース等のリソース割り当て情報を含んでもよい。複数の実装のうちのいくつかにおいて、その制御シグナリングは、ダウンリンク制御情報(DCI)フォーマットの一部であってもよい。様々な実施形態において、低遅延データ、低遅延トラフィック、及び/又は低遅延リソースは、それぞれ、URLLCデータ、URLLCトラフィック、及び/又はURLLCリソースであってもよく、遅延耐性データ、遅延耐性トラフィック、及び/又は遅延耐性リソースは、それぞれ、eMBBデータ、eMBBトラフィック、及び/又はeMBBリソースであってもよい。
【００７２】
図3は、他の実施形態の送信間隔構造300の図を図示している。その送信間隔構造300は、低遅延通信リソース及び遅延耐性通信リソースの共存を示す。その送信間隔構造300は、周波数帯域fにわたる単一の時間リソーススロット(又は送信間隔)302を含む。その周波数帯域fにわたるタイムスロット302は、時間周波数領域を特定する。そのスロット302は、複数の長さが連続したOFDMシンボルであってもよい。例えば、長さが7シンボル又は14シンボル等の通常のサイクリックプレフィックスが使用される場合に、その時間リソーススロット302は、長さがn×7シンボルであってもよい(nは、正の整数である)。他の例では、長さが6シンボル又は12シンボル等の拡張サイクリックプレフィックス(eCP)が使用される場合に、その時間リソーススロット302は、また、長さがn×6シンボルであってもよい。示されているように、そのスロット302は、複数のOFDMシンボル306を含み、各々のOFDMシンボル306は、eMBBトラフィック等の遅延耐性トラフィックの通信に割り当てられる。この例では、OFDMシンボル306は、遅延耐性リソースである。スロット302は、遅延耐性スケジューリング間隔であってもよく、或いは、遅延耐性スケジューリング間隔が複数のスロットを含む場合の遅延耐性スケジューリング間隔の一部であってもよい。
【００７３】
複数の実施形態のうちのいくつかにおいて、スロットは、そのスロットよりも小さい複数のリソースユニットを含んでもよい。各々のより小さいリソースユニットは、複数の隣接するOFDMシンボルを含んでもよい。より小さいリソースユニットの中のOFDMシンボルの数は、そのスロットのOFDMシンボルの数よりも少ない。1つの特定のタイプのより小さなリソースユニットは、ミニスロットである。ミニスロットは、そのスロットの中の時間期間である。図3に示されているように、そのスロット302は、ミニスロット304を含む。この例では、そのミニスロット304は、URLLCトラフィック等の低遅延通信のためにあらかじめ予約されている。そのミニスロット304は、2つの隣接するOFDMシンボル308を含む。それらのOFDMシンボル308は、低遅延通信リソースと称されてもよい。それらのOFDMシンボル308は、OFDMシンボル306とは異なる長さを有してもよい。ミニスロット304は、例えば、長さが1シンボル、長さが2シンボル、長さが2nシンボル(nは正の整数である)、又は、他のいずれかの数のOFDMシンボルであってもよく、それによって、そのミニスロット304の中のOFDMシンボルの数は、スロット302のOFDMシンボルの数よりも少なくなる。このようにして、そのスロット302の中のOFDMシンボルは、遅延耐性通信リソース(すなわち、306)及び低遅延通信リソース(すなわち、308)として使用される。
【００７４】
低遅延通信リソース308の継続時間は、1つの送信時間単位(TTU)と等しくてもよく、或いは、複数のTTUを包含していてもよい。TTUは、例えば、低遅延データ送信等のある特定のタイプの送信に割り当てることが可能である最も短い時間単位である。TTUは、送信時間間隔(TTI)と称されることがあってもよい。1つの実施形態においては、低遅延通信リソース308は、遅延耐性スケジューリング間隔より短い継続時間を有する。
【００７５】
示されているように、ミニスロット304又は低遅延通信リソース308は、時間領域においてスロット302の一部を占有するが周波数帯域fの全体を占有する。他の変形も、また、適用可能であってもよい。例えば、ミニスロット304は、時間領域におけるスロット302の一部及び周波数領域における周波数帯域fの一部を占有してもよい。
【００７６】
スロット302は、ダウンリンク/アップリンクスイッチングギャップ310及びアップリンク送信機会312を有してもよい。例えば、ハイブリッド自動再送要求(HARQ)フィードバック、アップリンク制御チャネル、又は小さいアップリンクデータを送信するのに、アップリンク送信機会312を使用してもよい。"低遅延ダウンリンク通信及び遅延耐性ダウンリンク通信の共存"と題する米国仮出願第62/379,559号の中に、リソーススロットについてのさらなる詳細を見出すことが可能である。
【００７７】
複数の実施形態のうちのいくつかにおいて、遅延耐性送信及び低遅延送信のために複数の異なるシステムパラメータを使用してもよい。あらかじめ予約された低遅延リソースが低遅延送信のために使用されない場合には、遅延耐性送信に、それらのあらかじめ予約された低遅延リソースを使用してもよい。各々のタイプの送信に、それぞれのシステムパラメータを使用してもよい。遅延耐性送信が、使用されていないとともにあらかじめ予約された低遅延リソースを使用する場合に、遅延耐性送信は、他の遅延耐性リソースによって使用されているシステムパラメータと同じシステムパラメータを使用してもよく、或いは、低遅延リソースにしたがってシステムパラメータを使用してもよい。
【００７８】
1つの実施形態において、低遅延通信リソース及び遅延耐性通信リソースは、複数の異なるサブキャリア間隔を有していてもよい。例えば、遅延耐性通信リソース306は、30[kHz]のサブキャリア間隔を有してもよく、低遅延通信リソース308は、60[kHz]のサブキャリア間隔を有する。ダウンリンク/アップリンクスイッチングギャップ310及びアップリンク送信機会312は、60[kHz]のサブキャリア間隔を有していてもよい。この例では、低遅延通信リソース308は、時間領域における遅延耐性通信リソース306の幅の半分の幅を有する。言い換えると、低遅延通信リソース308のサブキャリア間隔は、遅延耐性通信リソース306のサブキャリア間隔の2倍である。本明細書においては、限定する目的ではなく例示の目的のために、30[kHz]又は60[kHz]のサブキャリア間隔を示すということを明確に意図している。また、送信のために使用されるシステムパラメータは、拡張可能であってもよいということを理解すべきである。例えば、サブキャリア間隔は、互いに整数倍であるか、或いは、互いに2nの関係を有する。低遅延通信リソース及び遅延耐性通信リソースのシステムパラメータに関する詳細は、"スロット又はシンボルの整列との複合的なシステムパラメータの共存のためのシステム及び方法"と題する米国仮出願第62/395,914号の中に見出すことが可能である。
【００７９】
図4は、他の実施形態の送信間隔構造400の図を図示している。図3の送信間隔構造300と同様に、送信間隔構造400も、また、低遅延通信リソース及び遅延耐性通信リソースの共存を示している。示されているように、送信間隔構造400は、周波数帯域fにわたって単一の時間リソーススロット(又は送信間隔)402を含む。周波数帯域fにわたる時間スロット402は、ある時間周波数領域を指定する。そのスロット402は、長さが7個の連続的なOFDMシンボル等の長さが複数個の連続的なOFDMシンボルであってもよい。送信間隔構造400は、遅延耐性トラフィックを送信するための遅延耐性リソースとして割り当てられるOFDMシンボル406及び低遅延通信のためにあらかじめ予約されているミニスロット404を含む。そのミニスロット404は、低遅延リソース408を含む。そのスロット402は、また、ダウンリンク/アップリンクスイッチングギャップ410及びアップリンク送信機会412を含んでもよい。1つ又は複数のあらかじめ予約された低遅延リソース408が低遅延送信のために使用されない場合に、遅延耐性送信のために、それらの1つ又は複数のあらかじめ予約された低遅延リソース408をスケジューリングしてもよい。
【００８０】
同様に、複数の実施形態のうちのいくつかにおいて、送信間隔構造400の中での遅延耐性送信及び低遅延送信のために複数の異なるシステムパラメータを使用してもよい。その送信間隔構造400は、送信間隔構造300とは異なるサブキャリア間隔を使用してもよく、或いは、使用しなくてもよい。1つの例では、遅延耐性通信リソース406は、15[kHz]のサブキャリア間隔を有し、低遅延通信リソース408は、60[kHz]のサブキャリア間隔を有する。ダウンリンク/アップリンクスイッチングギャップ410及びアップリンク送信機会412は、60[kHz]のサブキャリア間隔を有する。このように、低遅延通信リソース408は、時間領域において、遅延耐性通信リソース406の幅の4分の1の幅を有する。より一般的には、この実施形態においては、低遅延通信リソース408のサブキャリア間隔は、遅延耐性通信リソース406のサブキャリア間隔の4倍のサブキャリア間隔である。本明細書においては、限定する目的ではなく例示の目的のために、15[kHz]又は60[kHz]のサブキャリア間隔を示すということを明確に意図している。また、例えば、サブキャリア間隔が互いの整数倍であるか、或いは、互いに2nの関係を有する場合に、代替的なサブキャリア間隔構成が、本開示によって意図されるということを理解すべきである。
【００８１】
図3及び図4は、長さが7個のOFDMシンボルのリソーススロットを含む送信間隔構造を示している。リソーススロットの長さが14個のシンボルである(図示しない)これらの開示されている実施形態及び他の開示されている実施形態において、図3に示されている実施形態は、リソーススロットの始端に追加的な5個のシンボルを追加し、そして、リソーススロットの終端に追加的な2個のシンボルを追加してもよい。リソーススロットに14個のシンボルを提供するために、他の構成もまた適用可能であってもよい。例えば、図4に示されている実施形態は、リソーススロットの始端に追加的な7個のシンボルを追加してもよい。
【００８２】
図5は、他の実施形態の送信間隔構造500の図を図示している。その送信間隔構造500は、周波数帯域fにわたる時間リソーススロット(又は送信間隔)502を含む。周波数帯域fにわたるその時間スロット502は、時間周波数領域を指定する。その送信間隔構造500は、遅延耐性トラフィックを送信するための遅延耐性リソースとして割り当てられているOFDMシンボル506、低遅延通信のためにあらかじめ予約されているとともに低遅延リソース508を含むミニスロット504、ダウンリンク/アップリンクスイッチングギャップ510、及びアップリンク送信機会512を含む。低遅延通信リソース508及び遅延耐性通信リソース506は、異なるサブキャリア間隔を使用する。
【００８３】
この例では、低遅延通信のために予約されているミニスロット504に対応する時間周波数リソース領域514は、低遅延トラフィックを送信するのには使用されてはいない。その時間周波数リソース領域514は、周波数帯域fの帯域幅の一部及びミニスロット504の時間リソースの全体を占有している。その時間周波数リソース領域514は、また、ミニスロット504の帯域幅の一部及び時間リソースの一部のみを占有してもよい。その時間周波数リソース領域514は、使用されていない低遅延リソースと称されてもよい。
【００８４】
遅延耐性トラフィックを送信するための遅延耐性リソースとして、使用されていない低遅延リソース514を使用してもよい。この場合には、その使用されていない低遅延リソース514は、使用されていない低遅延通信リソース514を占有する追加的な遅延耐性通信リソースとして理解されてもよい。その使用されていない低遅延リソース514は、他の遅延耐性通信リソース506と同じサブキャリア間隔を使用してもよく、或いは、低遅延通信リソース508と同じサブキャリア間隔を使用してもよい。追加的な遅延耐性通信リソース514は、遅延耐性通信リソース506と連続していてもよく、或いは、隣接していなくてもよい。すなわち、図5に示されている複数のリソースは、複数の論理的なリソースとなっている。物理的リソースへの論理的リソースのマッピングは、連続的(すなわち、局所化されている)であってもよく、或いは、不連続的(すなわち、分散されている)であってもよい。
【００８５】
遅延耐性通信リソース506及び追加的な遅延耐性通信リソース514は、リソーススロット502にわたって同じシステムパラメータを使用してもよい。低遅延通信リソース508の時間領域の幅は、遅延耐性通信リソース506、514の時間領域の幅と等しくてもよい。他の例では、すべての低遅延OFDMシンボルの幅は、1つの遅延耐性OFDMシンボルの幅と等しくてもよい。
【００８６】
図6は、他の実施形態の送信間隔構造600の図を図示している。図5の送信間隔構造500と同様に、その送信間隔構造600は、周波数帯域fにわたる時間リソーススロット602を含む。周波数帯域fにわたる時間スロット602は、時間周波数領域を指定する。その送信間隔構造600は、遅延耐性トラフィックを送信するための遅延耐性リソースとして割り当てられているOFDMシンボル606、低遅延通信のためにあらかじめ予約されているとともに低遅延リソース608を含むミニスロット604、ダウンリンク/アップリンクスイッチングギャップ610、及びアップリンク送信機会612を含む。低遅延通信リソース608及び遅延耐性通信リソース606は、異なるサブキャリア間隔を使用する。
【００８７】
同様に、送信間隔構造600は、周波数帯域fの帯域幅の一部及びミニスロット604の時間リソースの全体を占有する使用されていない低遅延リソース614を含む。遅延耐性トラフィックを送信するための遅延耐性ソースとして、その使用されていない低遅延リソース614を使用してもよい。その使用されていない低遅延リソース614は、遅延耐性トラフィックを送信するために利用される場合に、他の遅延耐性通信リソース606と同じサブキャリア間隔を使用してもよく、或いは、低遅延通信リソース608と同じサブキャリア間隔を使用してもよい。その使用されていない低遅延通信リソース614は、遅延耐性通信リソース606と連続的であってもよく、或いは、非連続的であってもよい。
【００８８】
複数の実施形態のうちのいくつかにおいて、あるタイプのトラフィックに割り当てられている使用されていない通信リソースを、他のタイプのトラフィックのリソースとして使用するということを示す指標を送ってもよい。例えば、図1の基地局110等の基地局は、ネットワーク100の中の1つ又は複数のUEに、使用されていないあらかじめ予約されている低遅延リソースを(追加的な遅延耐性通信リソースとして)遅延耐性通信に割り当てるということを示してもよい。制御シグナリングを使用して、そのような指標を実装してもよい。その制御シグナリングは、(例えば、時間、周波数、及び/又は符号リソース等の)使用されていない低遅延通信リソースを遅延耐性通信リソースとしてスケジューリングするということを様々な方法で示してもよい。その制御シグナリングは、ダウンリンク制御情報(DCI)フォーマットの一部であってもよい。ある1つの例として、遅延耐性通信のためのリソース割り当てを示すための制御シグナリングは、(例えば、リソースブロック等の)時間周波数リソースを表すビットマップであってもよい。ある1つの例として図6を取り上げると、基地局は、低遅延通信リソース608の占有されていない部分の中の追加的な遅延耐性通信リソース614を示してもよい。代替的、基地局は、占有されている低遅延通信リソース608を示してもよく、それによって、占有されていない低遅延通信リソース614の位置を推測することが可能である。
【００８９】
図7は、他の実施形態の送信間隔構造700の図を図示している。その送信間隔構造700は、遅延耐性トラフィックを送信するために、使用されていない低遅延リソースを使用するか否かを示す制御シグナリングを含む。示されているように、送信間隔構造700は、時間リソーススロット702を含む。その送信間隔構造700は、遅延耐性トラフィックを送信するための遅延耐性リソースとして割り当てられているOFDMシンボル706、低遅延通信のためにあらかじめ予約されているとともに低遅延リソース708を含むミニスロット704、ダウンリンク/アップリンクスイッチングギャップ710、及びアップリンク送信機会712を含む。低遅延通信リソース708及び遅延耐性通信リソース706は、異なるサブキャリア間隔を使用する。
【００９０】
複数の実施形態のうちのいくつかにおいて、遅延耐性通信リソースとして、低遅延通信リソース708の使用されていない部分を利用するということを示す制御シグナリングは、スロット702の終端に位置する領域716の中に含まれていてもよい。その制御シグナリングは、そのリソーススロット702について、追加的な遅延耐性通信リソースとして、占有されていない低遅延通信リソース708のいずれ部分を使用したかを示してもよい。言い換えると、その制御シグナリングは、ミニスロット704の1つ又は複数の低遅延通信リソース708によって、遅延耐性トラフィックをスケジューリングするということを示す。
【００９１】
図8は、他の実施形態の送信間隔構造800の図を図示している。その送信間隔構造800は、送信間隔構造700と同じである。示されているように、その送信間隔構造800は、時間リソーススロット802を含む。その送信間隔構造800は、遅延耐性リソースとして割り当てられているOFDMシンボル806、低遅延通信のためにあらかじめ予約されているとともに低遅延リソース808を含むミニスロット804、ダウンリンク/アップリンクスイッチングギャップ810、及びアップリンク送信機会812を含む。低遅延通信リソース808及び遅延耐性通信リソース806は、異なるサブキャリア間隔を使用する。この例では、低遅延通信リソース808の使用されていない部分を、遅延耐性通信リソースとして利用するということを示す制御シグナリングは、領域816において発生し、その領域806は、リソーススロット802の後に続く次のリソーススロットの(例えば、ダウンリンク制御領域又はダウンリンク制御チャネル等の)始端に位置する。そのダウンリンク制御領域は、1つ又はそれ以上のOFDMシンボルに及ぶ。複数の実施形態のうちのいくつかにおいて、その制御シグナリングは、領域816の中の(例えば、PDCCH等の)物理ダウンリンク制御チャネルによって送信されるダウンリンク制御情報(DCI)フォーマットの一部であってもよい。
【００９２】
制御シグナリングは、リソーススロットの終端において発生するか、或いは、次のリソーススロットの始端において発生するかにかかわらず、ビットマップ等の様々な適用可能なシグナリングフォーマットを使用して実装されてもよい。複数の実施形態のうちのいくつかにおいて、複数のスロットに及ぶスケジューリング間隔で、遅延耐性送信をスケジューリングしてもよい。この場合には、制御シグナリングは、複数のスロットの終端において、或いは、スケジューリング間隔の後に続く次のスケジューリング間隔のダウンリンク制御チャネルにおいて、発生してもよい。他の実施形態においては、その制御シグナリングは、例えば、ミニスロット814等のリソーススロットの中の使用されていない低遅延通信リソースの後のリソース/シンボルに位置していてもよい。
【００９３】
図9は、他の実施形態の送信間隔構造900の図を図示している。その送信間隔構造900は、eMBBトラフィックの送信のために割り当てられている周波数帯域の中に2つの時間リソーススロット902及び904を含む。それらの2つの時間リソーススロット902及び904は、eMBBスロットと称されてもよい。この例では、それらのスロット902及び904の各々は、eMBBスケジューリング間隔であってもよい。複数の実施形態のうちのいくつかにおいて、それらのスロット902及び904は、1つのeMBBスケジューリング間隔の中に存在してもよい。周波数帯域にわたるそれらのスロット902及び904は、それぞれ時間周波数リソース領域906及び908を規定する。
【００９４】
時間リソーススロット902は、URLLCトラフィックの送信のためにあらかじめ予約されているミニスロットを含む。周波数帯域にわたるそのミニスロットは、URLLCリソース910a及び910b(時間周波数リソース領域910a及び910b)を規定する。示されているように、そのURLLCリソース910a及び910bは、周波数帯域の帯域幅の全体を占有するが、異なる時間リソースを含む。時間リソーススロット904は、また、ミニスロットを含み、そのミニスロットは、URLLCトラフィックの送信のためにあらかじめ予約されているURLLCリソース912を規定する。この場合には、URLLCリソースではない時間周波数リソース領域906及び908の中のリソースは、eMBBリソースと称される。それらのURLLCリソース910a、910b、及び912は、eMBBリソースとは異なる複数のシステムパラメータを使用してもよい。それらのURLLCリソース910a、910b、及び912は、また、互いに異なるシステムパラメータを使用してもよい。
【００９５】
この例では、スロット902の中のURLLCリソース910aによって、URLLCトラフィックをスケジューリングする。URLLCリソース910bは、URLLCトラフィックの送信のために予約されているが、いずれかのURLLCトラフィックを送信するようにはスケジューリングされてはいない。むしろ、そのURLLCリソース910bは、eMBBトラフィックを送信するようにスケジューリングされる。eMBBトラフィックを送信するようにスケジューリングされるURLLCリソース910bは、URLLCリソース910a又はeMBBリソースによって使用されるシステムパラメータとは異なるシステムパラメータを使用してもよい。1つの実施形態において、eMBBトラフィックを送信するようにスケジューリングされる前に、使用されていないURLLCリソース910bを再構成してもよく、それによって、その使用されていないURLLCリソース910bは、eMBBトラフィックを送信するのに適したOFDMパラメータのセットを使用する。
【００９６】
使用されていないあらかじめ予約されているURLLCリソースを、eMBBトラフィックを送信するために代わりに利用するか否かを示すのに、制御シグナリングを送ってもよい。この例では、その制御シグナリングは、eMBBスロットの終端に位置する制御シグナリング領域の中で送信される。示されているように、スロット902の制御シグナリングは、スロット902の終端に位置する制御シグナリング領域914の中で送信される。その制御シグナリングは、eMBBトラフィックを送信するためにURLLCリソース910bをスケジューリングするということ、又は、eMBBトラフィックがURLLCリソース910bの中で搬送されるということを示してもよい。その制御シグナリングは、また、他の情報を含んでもよく、それによって、eMBBトラフィックの受信機は、その受信機のためにURLLCリソース910bによって送信されるeMBBトラフィックを見つけて識別することが可能である。eMBBトラフィックを送信するためにURLLCリソース910bの一部のみが使用される場合には、その制御シグナリングは、URLLCリソース910bの一部によって送信されるeMBBトラフィックを見つけるためにその受信機に制御情報を提供することを必要とする。スロット904は、また、その制御シグナリングを送信するためにそのスロット904の終端に位置する制御シグナリング領域916を含む。同様に、制御信号は、スロット904の中のいずれかのURLLCリソースがeMBBトラフィックを送信するために使用されるか否かを示す。
【００９７】
図10は、他の実施形態の送信間隔構造1000の図を図示している。送信間隔構造900と同様に、送信間隔構造1000は、eMBBトラフィックの送信のために割り当てられている周波数帯域の中に2つの時間リソーススロット1002及び1004を含む。周波数帯域にわたるそれらのスロット1002及び1004は、それぞれの時間周波数リソース領域1006及び1008を規定する。それらの時間周波数リソース領域1006及び1008は、URLLCトラフィックを送信するためにあらかじめ予約されているそれぞれのURLLCリソース1010a、1010b、及び1012を含む。URLLCトラフィックのためにあらかじめ予約されてはいない時間周波数リソース領域1006及び1008の中の時間周波数リソースは、eMBBリソースと称される。図10は、スロット1002の中の、例えば、URLLCリソース1010a又はURLLCリソース1010b、或いは、それらの双方等のURLLCリソースの一部が、eMBBトラフィックを送信するようにスケジューリングされる場合に、スロット1004の中の制御シグナリング領域1014の中で、そのようなスケジューリングを示す制御シグナリングを送信してもよいということを示している。制御領域1014は、スロット1004のダウンリンク制御領域(又はチャネル)の中に存在してもよい。複数の実施形態のうちのいくつかにおいて、URLLCリソース1012の後のスロット1004の中のeMBBリソースによって、或いは、スロット1004の直後の他のスロットの中のeMBBリソースによって、URLLCリソース1012がeMBBトラフィックを送信するようにスケジューリングされているか否かを示す制御シグナリングを送信してもよい。
【００９８】
上記で説明した開示の複数の実施形態において、第1のタイプのトラフィックを送信するためにあらかじめ予約されている時間周波数リソースが第2のタイプのトラフィックを送信するようにスケジューリングされているか否かを示す制御シグナリングを、その時間周波数リソースが位置しているスロットの終端において或いはそのスロットの後に続く他のスロットの制御領域において送信してもよい。当業者は、様々な適用可能な方法で、その制御シグナリングを送信してもよいということを認識するであろう。例えば、あらかじめ予約された時間周波数リソースによって第2のタイプのトラフィックを送信した後に、制御シグナリングを送信する。制御信号は、第2のタイプのトラフィックの受信機が、第1のタイプのトラフィックのためにあらかじめ予約されている時間周波数リソースによって送信される第2のタイプのトラフィックを識別するための制御信号である。
【００９９】
図11は、無線通信のため方法1100の実施形態のフローチャートを図示している。その方法1100は、基地局(BS)によって実行されてもよい。ステップ1102において、その方法1100は、時間周波数リソース領域のうちの第1の領域において第1のタイプのトラフィックの第1のデータを送信する。その時間周波数リソース領域は、第1の送信間隔を有する。その時間周波数リソース領域は、また、第2のタイプのトラフィックの送信のための第2の領域を含む。1つの実施形態において、第1のタイプのトラフィックは、eMBBトラフィック又は他の遅延耐性トラフィックであってもよく、第2のタイプのトラフィックは、URLLCトラフィック又は他の低遅延トラフィックであってもよい。第1の領域は、遅延耐性リソースを含んでもよく、第2の領域は低遅延リソースを含んでもよい。
【０１００】
ステップ1104において、その方法1100は、第2の領域の第1の部分が第2のタイプのトラフィックを送信するのに使用されていないということに応答して、第2の領域の第1の部分において第1のタイプのトラフィックの第2のデータを送信する。
【０１０１】
1つの実施形態において、第2のタイプのトラフィックの送信のために、第2の領域を予約してもよい。他の実施形態において、第2の領域は、非連続的な直交周波数分割多重化(OFDM)シンボルを含んでもよい。1つの実施形態において、第1の領域は、第2の領域とは異なる時間リソースを含んでもよい。他の実施形態において、第1の領域は、第2の領域とは異なる周波数リソースを含んでもよい。
【０１０２】
1つの実施形態において、方法1100は、第2の領域の第2の部分において第2のタイプのトラフィックの第3のデータを送信してもよい。異なるOFDMシステムパラメータを使用して、それらの第2のデータ及び第3のデータを送信することが可能である。OFDMシステムパラメータの各々は、OFDMパラメータのセットを含む。
【０１０３】
1つの実施形態において、第3のデータとは異なる時間リソースによって、第2のデータを送信してもよい。また、第3のデータとは異なる周波数リソースによって、第2のデータを送信してもよい。第1のデータとは異なるOFDMパラメータのセットを使用して、第2のデータを送信してもよい。
【０１０４】
1つの実施形態において、方法1100は、第2の領域の全体が第2のタイプのトラフィックを送信するのに使用されていないということに応答して、全体第2の領域によって第1のタイプのトラフィックの第2のデータを送信することによって、第2の領域の第1の部分において第1のタイプのトラフィックの第2のデータを送信してもよい。
【０１０５】
1つの実施形態において、方法1100は、さらに、第2の領域の第1の部分が第1のタイプのトラフィックを送信するのに使用されるか否かを示すシグナリングを送ってもよい。そのシグナリングは、第2のデータの受信機が、第2の領域において送信される第2のデータを他の情報にしたがって受信するための他の情報を含んでもよい。第1のタイプのトラフィックの第2のデータが第2の領域の第1の部分において送信された後に、第1の送信間隔で、そのシグナリングを送信してもよい。また、第1の送信間隔の後に続く第2の送信間隔で、そのシグナリングを送信してもよく、そのシグナリングは、第2の送信間隔のダウンリンク制御領域の中で搬送される。
【０１０６】
1つの実施形態において、第2のタイプのトラフィックは、第1のタイプのトラフィックよりも低遅延であることを必要としてもよい。他の実施形態において、第2のタイプのトラフィックは、制御シグナリング又は参照信号を含んでもよい。
【０１０７】
図12は、無線通信のための他の実施形態の方法1200のフローチャートを図示している。その方法1200は、UEによって実行されてもよい。ステップ1202において、その方法1200は、時間周波数リソース領域のうちの第1の領域の第1の部分が、第1のタイプのトラフィックの第1のデータを送信するのに使用されるという指標を受信する。その時間周波数リソース領域は、第1の送信間隔を有し、第1の領域は、第1のタイプのトラフィックとは異なる第2のタイプのトラフィックの送信のために予約されている。ステップ1204において、方法1200は、その指標にしたがって、第1の領域の第1の部分において第1のタイプのトラフィックの第1のデータを受信する。
【０１０８】
1つの実施形態において、第1のタイプのトラフィックの第1のデータが第1の領域の第1の部分において送信された後に、第1の送信間隔の中で、UEにその指標を送信してもよい。他の実施形態において、第1の送信間隔の後に続く第2の送信間隔の中で、UEにその指標を送信してもよく、その指標は、第2の送信間隔のダウンリンク制御領域/チャネルによって搬送される。
【０１０９】
1つの実施形態において、第2のタイプのトラフィックは、第1のタイプのトラフィックよりも低遅延であることを必要としてもよい。1つの実施形態において、第1の領域は、第2の領域とは異なる時間周波数リソースを含んでもよい。
【０１１０】
方法1200は、さらに、時間周波数リソース領域のうちの第2の領域において第1のタイプのトラフィックの第2のデータを受信してもよく、第2の領域は、第1のタイプのトラフィックの送信のために割り当てられる。方法1200は、また、第1の領域の第2部分において第2のタイプのトラフィックの第3のデータを受信するステップを含んでもよい。複数の異なるOFDMシステムパラメータを使用して、第1のデータ及び第3のデータを送信してもよい。OFDMシステムパラメータは、OFDMパラメータのセットを含む。第1のデータは、また、第3のデータとは異なる時間周波数リソースの中で送信されてもよい。
【０１１１】
実施形態の方法は、低遅延通信リソース及び遅延耐性通信リソースと関連して説明されているが、いずれかのタイプの通信リソースを使用することが可能であるということを理解すべきである。複数の実施形態のうちのいくつかにおいて、基地局は、時間領域リソーススロットの1つ又は複数の第1の時間周波数リソースの一部をUEに示してもよく、時間領域リソーススロットの1つ又は複数の第1の時間周波数リソースは、第1のタイプのトラフィックのためにあらかじめ予約されていてもよい。第1のタイプのトラフィックは、低遅延トラフィック、又は他のタイプのトラフィックであってもよい。時間領域リソーススロットの1つ又は複数の第1の時間周波数リソースを使用して、いずれかの第2のタイプのトラフィックを送信してもよい。1つの実施形態において、UEは、あらかじめ予約されている低遅延通信リソースが使用されるようには構成されておらず、再利用のために利用可能であるという指標を受信してもよい。そのような例では、UEは、遅延耐性通信のための使用されていないあらかじめ予約されている低遅延通信リソースに関して、基地局又は他の通信デバイスとの間で通信してもよい。UEが受信することが可能であるという指標は、スケジューリング間隔のダウンリンク制御領域において、又は、使用されていないあらかじめ予約されている低遅延通信リソースの後の遅延耐性通信のためのリソースの終端において、発生してもよい。1つの実施形態においては、UEが受信することが可能であるという指標は、あらかじめ予約されている低遅延通信リソースによる遅延耐性通信の後のリソースにおいて発生してもよい。
【０１１２】
複数の実施形態のうちのいくつかにおいて、スロットの始端において遅延耐性リソースによって、遅延耐性データ/遅延耐性トラフィック/遅延耐性通信をスケジューリングしてもよい。遅延耐性データ/遅延耐性トラフィック/遅延耐性通信は、そのスロットの中のあらかじめ予約されている低遅延リソースを占有していなくてもよい。そのスロットの継続時間の間に、到来しつつあるとともに、あらかじめ予約されている低遅延リソースによって送信する必要がある低遅延データ/低遅延トラフィック/低遅延通信が存在する場合がある。複数の実施形態のうちのいくつかにおいて、低遅延リソースのすべてが必要ではない場合に、基地局は、また、そのスロットの間に(すなわち、そのスロットの中で時間が進行するにつれて)、使用されていない低遅延リソースによって遅延耐性データ/遅延耐性トラフィック/遅延耐性通信をスケジューリングしてもよい。これらは、遅延耐性リソースの始端においてスケジューリングされていない/割り当てられていない追加的なリソースとなるであろう。
【０１１３】
複数の実施形態のうちのいくつかにおいて、遅延耐性データ/遅延耐性トラフィック/遅延耐性通信を受信するUEは、そのUEが、あるスロットの開始の時点において、(例えば、PDCCH等の)物理ダウンリンク制御チャネルにおいて制御シグナリングを復号化する場合に、追加的な遅延耐性データ/遅延耐性トラフィック/遅延耐性通信が、使用されていない低遅延リソースによってスケジューリングされたということを知らなくてもよい。例えば、そのスロットの中の遅延耐性データ/遅延耐性トラフィック/遅延耐性通信の終了の時点において生じる使用されていないあらかじめ予約された低遅延リソースの再割り当てのシグナリングの後に、或いは、同じスロットの中であるが遅延耐性データ/遅延耐性トラフィック/遅延耐性通信の後に、或いは、制御チャネルの中の次のスロットの始端において、様々な方法で、追加的な割り当てられる遅延耐性リソースをそのUEに通知してもよい。このように、そのUEは、低遅延リソースの中の占有されている追加的な遅延耐性データを"後処理"し、復号化することが可能である。
【０１１４】
図13は、ホストデバイスにインストールすることが可能であるとともに、本明細書において説明されている方法を実行するための処理システム1300のブロック図である。示されているように、処理システム1300は、プロセッサ1302、メモリ1304、及びインターフェイス1306乃至1310を含み、それらは、図13に示されているように配置されてもよい(或いは、配置されなくてもよい)。そのプロセッサ1302は、いずれかの構成要素又は構成要素の集合体であってもよく、それらのいずれかの構成要素又は構成要素の集合体は、計算及び/又は他の処理と関連付けられたタスクを実行するように適合されてもよく、そのメモリ1304は、いずれかの構成要素又は構成要素の集合体であってもよく、それらのいずれかの構成要素又は構成要素の集合体は、プロセッサ1302が実行するためのプログラミング及び/又は命令を格納するように適合されてもよい。ある1つの実施形態においては、メモリ1304は、非一時的コンピュータ読み取り可能な媒体を含む。インターフェイス1306、1308、1310は、いずれかの構成要素又は構成要素の集合体であってもよく、それらのいずれかの構成要素又は構成要素の集合体は、処理システム1300が他のデバイス/構成要素及び/又はユーザとの間で通信することを可能とする。例えば、インターフェイス1306、1308、1310のうちの1つ又は複数は、ホストデバイス及び/又はリモートデバイスにインストールされているアプリケーションに、プロセッサ1302からのデータ、制御、又は管理メッセージを通信するように適合されてもよい。他の例として、インターフェイス1306、1308、1310のうちの1つ又は複数は、ユーザ又は(例えば、パーソナルコンピュータ(PC)等の)ユーザデバイスが処理システム1300との間で対話し/通信することを可能とするように適合されてもよい。処理システム1300は、(例えば、不揮発性メモリ等の)長期的な記憶装置等の図13には示されていない追加的な構成要素を含んでもよい。
【０１１５】
複数の実施形態のうちのいくつかにおいて、処理システム1300は、ネットワークデバイスに含まれ、そのネットワークデバイスは、通信ネットワークにアクセスしているか、或いは、そうでない場合には、その一部となっている。1つの例では、処理システム1300は、基地局、中継局、スケジューラ、コントローラ、ゲートウェイ、ルータ、アプリケーションサーバ、又は通信ネットワークの中のいずれかの他のデバイス等の無線又は有線通信ネットワークの中のネットワーク側デバイスの中に存在する。他の実施形態においては、処理システム1300は、移動局、ユーザ機器(UE)、パーソナルコンピュータ(PC)、タブレット、(例えば、スマート時計等の)ウェアラブル通信デバイス、又は通信ネットワークにアクセスするように適合される他のいずれかのデバイス等の無線又は有線通信ネットワークにアクセスするユーザ側デバイスの中に存在する。
【０１１６】
複数の実施形態のうちのいくつかにおいて、インターフェイス1306、1308、1310のうちの1つ又は複数は、トランシーバーに処理システム1300を接続し、そのトランシーバーは、通信ネットワークを介してシグナリングを送信し及び受信するように適合される。図14は、トランシーバー1400のブロック図であり、そのトランシーバーは、電気通信ネットワークを介してシグナリングを送信し及び受信するように適合される。トランシーバー1400は、ホストデバイスに設置されてもよい。示されているように、トランシーバー1400は、ネットワーク側インターフェイス1402、カプラ1404、送信機1406、受信機1408、信号プロセッサ1410、及びデバイス側インターフェイス1412を含む。そのネットワーク側インターフェイス1402は、いずれかの構成要素又は構成要素の集合体を含んでもよく、それらの構成要素又は構成要素の集合体は、無線又は有線通信ネットワークを介してシグナリングを送信し或いは受信するように適合される。カプラ1404は、いずれかの構成要素又は構成要素の集合体を含んでもよく、それらの構成要素又は構成要素の集合体は、ネットワーク側インターフェイス1402を介する双方向通信を容易にするように適合される。送信機1406は、(例えばアップコンバータ、電力増幅器等の)いずれかの構成要素又は構成要素の集合体を含んでもよく、それらの構成要素又は構成要素の集合体は、ベースバンド信号を、ネットワーク側インターフェイス1402を介して送信するのに適している変調されたキャリア信号へと変換するように適合される。受信機1408は、(例えば、ダウンコンバータ、低雑音増幅器等の)いずれかの構成要素又は構成要素の集合体を含んでもよく、それらの構成要素又は構成要素の集合体は、ネットワーク側インターフェイス1402を介して受信するキャリア信号をベースバンド信号へと変換するように適合される。信号プロセッサ1410は、いずれかの構成要素又は構成要素の集合体を含んでもよく、それらの構成要素又は構成要素の集合体は、ベースバンド信号を、1つ又は複数のデバイス側インターフェイス1412を介して通信するのに適しているデータ信号へと変換するように、或いは、その逆に変換するように適合される。1つ又は複数のデバイス側インターフェイス1412は、信号プロセッサ1410と(例えば、処理システム1300、ローカルエリアネットワーク(LAN)ポート等の)ホストデバイスの中の複数の構成要素との間でデータ信号を通信するように適合される。
【０１１７】
トランシーバー1400は、いずれかのタイプの通信媒体を介してシグナリングを送信し及び受信してもよい。複数の実施形態のうちのいくつかにおいて、トランシーバー1400は、無線媒体を介してシグナリングを送信し及び受信する。例えば、トランシーバー1400は、無線トランシーバーであってもよく、その無線トランシーバーは、(例えば、ロングタームエボリューション(LTE)等の)セルラープロトコル、(例えば、Wi-Fi等の)無線ローカルエリアネットワーク(WLAN)、又は(例えば、ブルートゥース、近距離無線通信(NFC)等の)いずれかの他のタイプの無線プロトコル等の無線通信プロトコルにしたがって通信するように適合される。そのような実施形態においては、ネットワーク側インターフェイス1402は、1つ又は複数のアンテナ/放射素子を含む。例えば、ネットワーク側インターフェイス1402は、単一アンテナ、複数の個別のアンテナ、又は、例えば、単一入力多出力(SIMO)、多入力単一出力(MISO)、多入力多出力(MIMO)等の多層通信用に構成されるマルチアンテナアレイを含んでもよい。他の実施形態においては、トランシーバー1400は、例えば、ツイストペアケーブル、同軸ケーブル、光ファイバ等の有線媒体を介してシグナリングを送信し及び受信する。複数の特定の処理システム及び/又はトランシーバーは、示されている構成要素のすべてを利用してもよく、或いは、それらの構成要素のサブセットのみを利用してもよく、一体化の程度は、デバイスごとに変化してもよい。
【０１１８】
以下の複数の例のうちのいずれかにしたがって、本開示の教示を選択的に実装してもよい。
【０１１９】
例1. 方法であって、基地局(BS)によって、時間周波数リソース領域のうちの第1の領域において第1のタイプのトラフィックの第1のデータを送信するステップであって、前記時間周波数リソース領域は、第1の送信間隔を有し、前記時間周波数リソース領域は、第2のタイプのトラフィックの送信のための第2の領域を含む、ステップと、前記第2の領域の第1の部分が前記第2のタイプのトラフィックを送信するのに使用されていないということに応答して、前記BSによって、前記第2の領域の前記第1の部分において前記第1のタイプのトラフィックの第2のデータを送信するステップと、を含む、方法、である。
【０１２０】
例2. 前記第2の領域は、前記第2のタイプのトラフィックの送信のために予約される、例1に記載の方法である。
【０１２１】
例3. 前記第2の領域は、非連続的な直交周波数分割多重化(OFDM)シンボルを含む、例1に記載の方法である。
【０１２２】
例4. 前記第1の領域は、前記第2の領域とは異なる時間リソースを含む、例1に記載の方法である。
【０１２３】
例5. 前記第1の領域は、前記第2の領域とは異なる周波数リソースを含む、例1に記載の方法である。
【０１２４】
例6. 前記BSによって、前記第2の領域の第2の部分において前記第2のタイプのトラフィックの第3のデータを送信するステップをさらに含む、例1に記載の方法である。
【０１２５】
例7. 前記第2のデータ及び前記第3のデータは、異なるOFDMシステムパラメータを使用して送信され、前記OFDMシステムパラメータの各々は、OFDMパラメータのセットを含む、例6に記載の方法である。
【０１２６】
例8. 前記第2のデータは、前記第3のデータとは異なる時間リソースによって送信される、例6に記載の方法である。
【０１２７】
例9. 前記第2のデータは、前記第3のデータとは異なる周波数リソースによって送信される、例6に記載の方法である。
【０１２８】
例10. 前記BSによって、前記第2の領域の前記第1の部分において前記第1のタイプのトラフィックの前記第2のデータを送信するステップは、前記第2の領域の全体が前記第2のタイプのトラフィックを送信するのに使用されていないということに応答して、前記BSによって、前記第2の領域の前記全体によって前記第1のタイプのトラフィックの前記第2のデータを送信するステップを含む、例1に記載の方法である。
【０１２９】
例11. 前記第2の領域の前記第1の部分が前記第1のタイプのトラフィックを送信するのに使用されているか否かを示すシグナリングを前記BSによって送るステップをさらに含む、例1に記載の方法である。
【０１３０】
例12. 前記第1のタイプのトラフィックの前記第2のデータが、前記第2の領域の前記第1の部分において送信された後に、前記シグナリングは、前記第1の送信間隔の中で送信される、例11に記載の方法である。
【０１３１】
例13. 前記シグナリングは、前記第1の送信間隔の後に続く第2の送信間隔の中で送信され、前記シグナリングは、前記第2の送信間隔のダウンリンク制御チャネルによって搬送される、例11に記載の方法である。
【０１３２】
例14. 前記第2のデータは、前記第1のデータとは異なるOFDMパラメータのセットを使用して送信される、例1に記載の方法である。
【０１３３】
例15. 前記第2のタイプのトラフィックは、前記第1のタイプのトラフィックよりも低遅延であることを必要とする、例1に記載の方法である。
【０１３４】
例16. 前記第2のタイプのトラフィックは、制御シグナリングを含む、例1に記載の方法である。
【０１３５】
例17. 前記第2のタイプのトラフィックは、参照信号を含む、例1に記載の方法である。
【０１３６】
例8. デバイスであって、複数の命令を含む非一時的なメモリ記憶装置と、前記メモリ記憶装置と通信する1つ又は複数のプロセッサと、を含み、前記1つ又は複数のプロセッサは、前記複数の命令を実行して、時間周波数リソース領域の第1の領域において第1のタイプのトラフィックの第1のデータを送信し、前記時間周波数リソース領域は、第1の送信間隔を有するとともに、第2のタイプのトラフィックの送信のために予約される第2の領域を含み、前記第2の領域の第1の部分において前記第1のタイプのトラフィックの第2のデータを送信し、前記第2の領域の前記第1の部分は、前記第2のタイプのトラフィックを送信するために使用されない、デバイスである。
【０１３７】
例9. 前記1つ又は複数のプロセッサは、前記複数の命令を実行して、さらに、前記第2の領域の第2の部分において前記第2のタイプのトラフィックの第3のデータを送信する、例8に記載のデバイスである。
【０１３８】
例10. 前記第2のデータ及び前記第3のデータは、異なるOFDMシステムパラメータを使用して送信され、前記OFDMシステムパラメータの各々は、OFDMパラメータのセットを含む、例9に記載のデバイスである。
【０１３９】
例11. 前記1つ又は複数のプロセッサは、さらに、前記複数の命令を実行して、前記第2の領域の前記第1の部分が前記第1のタイプのトラフィックを送信するのに使用されているか否かを示すシグナリングを送る、例9に記載のデバイスである。
【０１４０】
例12. 前記第1のタイプのトラフィックの前記第2のデータが、前記第2の領域の前記第1の部分において送信された後に、前記シグナリングは、前記第1の送信間隔の中で送られる、例11に記載のデバイスである。
【０１４１】
例13. 前記シグナリングは、前記第1の送信間隔の後に続く第2の送信間隔の中で送られ、前記シグナリングは、前記第2の送信間隔のダウンリンク制御チャネルによって搬送される、例11に記載のデバイスである。
【０１４２】
対応するユニット又はモジュールによって、本明細書において提示される実施形態の方法の1つ又は複数のステップを実行してもよいということを理解すべきである。例えば、送信ユニット又は送信モジュールによって、信号を送信してもよい。受信ユニット又は受信モジュールによって、信号を受信してもよい。処理ユニット又は処理モジュールによって、信号を処理してもよい。指示ユニット/モジュール、送信ユニット/モジュール、送出ユニット/モジュール、決定ユニット/モジュール、又は受信ユニット/モジュールによって、他のステップを実行してもよい。それぞれのユニット/モジュールは、ハードウェア、ソフトウェア、又はそれらの組み合わせであってもよい。例えば、ユニット/モジュールのうちの1つ又は複数は、フィールドプログラマブルゲートアレイ(FPGA)又は特定用途向け集積回路(ASIC)等の集積回路であってもよい。
【０１４３】
本開示は、ある特定の順序で、複数のステップを使用する複数の方法及びプロセスを説明しているが、それらの複数の方法及びプロセスの1つ又は複数のステップを、適宜、省略してもよく、或いは、変更してもよい。必要に応じて、記載されている順序以外の順序で1つ又は複数のステップを実行してもよい。
【０１４４】
本出願は、少なくとも部分的には、方法に関して記載されているが、当業者は、本開示が、また、ハードウェア構成要素、ソフトウェア、又はそれらの2つのいずれかの組み合わせによるものであるそれらの複数の説明された方法の態様及び特徴のうちの少なくともいくつかを実行するための様々な構成要素にも関しているということを理解するであろう。したがって、ソフトウェア製品の形態で、本開示にしたがって説明されている技術的解決方法を具現化してもよい。例えば、DVD、CD-ROM、USBフラッシュディスク、取り外し可能なハードディスク、又は他の記憶媒体を含むあらかじめ記録された記憶デバイス、或いは、他の同様の不揮発性のコンピュータ読み取り可能な媒体又は非一時的コンピュータ読み取り可能な媒体の中に、適切なソフトウェア製品を格納してもよい。そのソフトウェア製品は、有体的に格納されている複数の命令を含み、それらの複数の命令は、(例えば、パーソナルコンピュータ、サーバ、又はネットワークデバイス等の)処理装置が、本明細書に開示されている複数の方法の複数の実施形態を実行することを可能にする。
【０１４５】
本開示は、複数の例示的な実施形態を参照して説明されてきたが、この説明は、限定的な意義に解釈されることを意図してはいない。それらの複数の例示的な実施形態の様々な修正及び組み合わせのみならず、本開示の他の実施形態も、説明を参照することにより、当業者には明らかとなるであろう。上記で説明された複数の実施形態のうちの1つ又は複数のうちの選択された特徴を組み合わせて、明示的に説明されていない代替的な実施形態を創造してもよく、そのような組み合わせに適している特徴は、本開示の範囲に属するとして理解される。したがって、添付の特許請求の範囲は、そのような修正又は実施形態のいずれも包含するということが意図される。
【手続補正３】
【補正対象書類名】図面
【補正対象項目名】図１０
【補正方法】変更
【補正の内容】
【図１０】
2019534593.tif 000017
【国際調査報告】
2019534593.tif 000018
2019534593.tif 000019